(57)【要約】【課題】放送波コンテンツの再生において、特に音声データの再生品質を向上させる。【解決手段】ＡＶシステム１００は、放送波コンテンツを受信して復調するチューナ部１６０、復調結果としてのストリームを記憶するバッファ部１６１、記憶されたストリームをバッファ部１６１から読み出して復号するデコード部１６２、復号結果のうちの音声データをソース機器１１０に送信するＳＰＤＩＦ送信回路１２５、及びデコード部１６２によるストリームの復号の際に使用するクロック信号をソース機器１１０に対して送受信可能なシンク側送受信回路１２３を備えるシンク機器１２０と、ＳＰＤＩＦ送信回路１２５により送信される上記音声データを受信するＳＰＤＩＦ受信回路１１５、及びデコード部１６２によるストリームの復号の際に使用するクロック信号をシンク機器１２０に対して送受信可能なソース側送受信回路１１３を備えるソース機器１１０とを備える。【選択図】図２
2011172156.tif 000002
【特許請求の範囲】
【請求項１】
放送波コンテンツを受信して復調する復調部と、
前記復調部による復調結果としてのストリームを記憶する記憶部と、
前記記憶部に記憶されたストリームを当該記憶部から読み出して復号する復号部と、
前記復号部による復号結果のうちの音声データを音声再生装置に伝送路を介して送信する送信部と、
前記復号部による前記ストリームの復号の際に使用するクロック信号を前記伝送路を介して前記音声再生装置に対して送受信可能な第１の送受信部と、
を備える、コンテンツ受信装置と、
前記送信部により前記伝送路を介して送信される前記音声データを受信する受信部と、
前記復号部による前記ストリームの復号の際に使用するクロック信号を前記伝送路を介して前記コンテンツ受信装置に対して送受信可能な第２の送受信部と、
を備える、前記音声再生装置と、
を備える、コンテンツ再生システム。
【請求項２】
前記第２の送受信部は、前記音声再生装置が備えるクロック信号生成回路により生成されたクロック信号を、前記復号部が前記ストリームの復号の際に使用するクロック信号として前記コンテンツ受信装置に送信し、
前記第１の送受信部は、前記第２の送受信部により送信されるクロック信号を受信し、
前記復号部は、前記第１の送受信部が受信したクロック信号を前記ストリームの復号の際に使用するクロック信号として使用する、請求項１に記載のコンテンツ再生システム。
【請求項３】
前記音声再生装置が備えるクロック信号生成回路により生成されたクロック信号よりも前記コンテンツ受信装置が備えるクロック信号生成回路により生成されたクロック信号の精度が高い場合は、
前記復号部は、前記コンテンツ受信装置が備えるクロック信号生成回路により生成されたクロック信号を前記ストリームの復号の際に使用するクロック信号として使用し、
前記第１の送受信部は、前記コンテンツ受信装置が備えるクロック信号生成回路により生成されたクロック信号を、前記音声再生装置に送信し、
前記第２の送受信部は、前記第１の送受信部により送信されるクロック信号を受信する、請求項１に記載のコンテンツ再生システム。
【請求項４】
前記復号部は、前記ストリームの復号結果に基づいて、前記記憶部の記憶内容をリセットあるいは直前の映像および音声データと同一の映像および音声データを挿入する、請求項１に記載のコンテンツ再生システム。
【請求項５】
放送波コンテンツを受信して復調する復調部と、
前記復調部による復調結果としてのストリームを記憶する記憶部と、
前記記憶部に記憶されたストリームを当該記憶部から読み出して復号する復号部と、
前記復号部による復号結果のうちの音声データを音声再生装置に伝送路を介して送信する送信部と、
前記復号部による前記ストリームの復号の際に使用するクロック信号を前記伝送路を介して前記音声再生装置に対して送受信可能な送受信部と、
を備える、コンテンツ受信装置。
【請求項６】
放送波コンテンツを受信するコンテンツ受信装置から伝送路を介して送信される音声データを受信する受信部と、
前記コンテンツ受信装置が備える、前記放送波コンテンツの復調結果としてのストリームを復号する復号部による当該ストリームの復号の際に使用するクロック信号を前記伝送路を介して前記コンテンツ受信装置に対して送受信可能な送受信部と、
を備える、前記音声再生装置。
【請求項７】
コンテンツ受信装置により放送波コンテンツを受信して復調するステップと、
前記コンテンツ受信装置により復調結果としてのストリームを記憶するステップと、
前記コンテンツ受信装置により記憶されたストリームを読み出して復号するステップと、
前記コンテンツ受信装置により復号結果のうちの音声データを音声再生装置に伝送路を介して送信するステップと、
前記コンテンツ受信装置により前記ストリームの復号の際に使用するクロック信号を前記伝送路を介して前記音声再生装置に対して送信または受信するステップと、
前記音声再生装置により前記伝送路を介して送信される前記音声データを受信するステップと、
前記音声再生装置により前記ストリームの復号の際に使用するクロック信号を前記伝送路を介して前記コンテンツ受信装置に対して送信または受信するステップと、
を有する、コンテンツ再生方法。
【請求項８】
コンテンツ受信装置を、
放送波コンテンツを受信して復調する復調部と、
前記復調部による復調結果としてのストリームを記憶する記憶部と、
前記記憶部に記憶されたストリームを当該記憶部から読み出して復号する復号部と、
前記復号部による復号結果のうちの音声データを音声再生装置に伝送路を介して送信する送信部と、
前記復号部による前記ストリームの復号の際に使用するクロック信号を前記伝送路を介して前記音声再生装置に対して送受信可能な第１の送受信部と、
として機能させ、
前記音声再生装置を、
前記送信部により前記伝送路を介して送信される前記音声データを受信する受信部と、
前記復号部による前記ストリームの復号の際に使用するクロック信号を前記伝送路を介して前記コンテンツ受信装置に対して送受信可能な第２の送受信部と、
として機能させるためのプログラム。
【発明の詳細な説明】
【技術分野】
【０００１】
本発明は、コンテンツ再生システム、コンテンツ受信装置、音声再生装置、コンテンツ再生方法およびプログラムに関する。
【背景技術】
【０００２】
近年、音声信号や映像信号などのデジタル信号を扱うＡＶ（Audio/Visual）機器が普及するにつれて、これらＡＶ機器間においてデジタル信号を伝送するためのインタフェースとして様々な方式のものが提案されている。このようなインタフェースとしては、例えば、ＩＥＥＥ（Institute of Electrical and Electronics Engineers）１３９４規格、ＨＤＭＩ（High-Definition Multimedia Interface）規格（ＨＤＭＩは登録商標）等が広く知られている（例えば、特許文献１参照。）。
【０００３】
このような中、コンテンツの再生において、例えば、テレビ装置からオーディオ機器に音声データの伝送を行い、オーディオ機器側で音声データの再生を行うことにより、高品質のＡＶ再生を可能にする技術が提案されている。例えば、送信側から受信側へ、映像データ、音声データ、付加データ、および映像クロックを伝送するとともに、受信側から送信側へ、付加データ、および映像クロックを伝送し、受信側で生成して送信側へ伝送される映像クロックまたはその付加データを用いて、映像データおよび／または音声データのクロックレートを調整するようにして、受信側をマスタークロックとして、送信側クロックを連続的に同期させることで、送受側ともに、高品質のＡＶ再生が可能となり、併せてリップシンクのズレの問題を解決することができる技術が提案されている（例えば、特許文献２参照。）。
【先行技術文献】
【特許文献】
【０００４】
【特許文献１】特開２００７−２６７１１６号公報
【特許文献２】特開２００８−１８７５８６号公報
【発明の概要】
【発明が解決しようとする課題】
【０００５】
しかしながら、通常、放送波コンテンツの再生においては、テレビ装置やセットトップボックス（ＳＴＢ）などの受信チューナ部にて復調されたＭＰＥＧ−ＴＳなどのストリームをデコード部にてデコードすることによって、放送波コンテンツの再生が実現される。このとき、デコード部においてストリームのデコードの際に使用する基準クロックは、当該ストリームに含まれる時間情報（タイムスタンプ）に基づいて、デコードする装置が有するＰＬＬ（Phase Locked Loop）などを調整することにより、通常、２７ＭＨｚの同期クロックとして生成される。そして、生成された２７ＭＨｚの同期クロックから映像データ再生用の基準クロックや、音声データ再生用の基準クロックが生成される。このため、放送波コンテンツの再生において、ストリームのデコードのための基準クロックは、放送波コンテンツの受信装置側がマスターとなる必要がある。
【０００６】
一方、音声データの再生において、音声品質は音声データのデコードの際に使用する基準クロックの品質に非常に敏感であり、ゆらぎ（ジッタ）成分などが音声品質に大きな影響を及ぼす。そのため、通常、オーディオ機器には非常に高品質なクロックを生成可能なクロック生成回路が搭載されている。
【０００７】
したがって、放送波コンテンツの再生においては、オーディオ機器に非常に高品質なクロックを生成可能なクロック生成回路が搭載されているにも拘らず、特に音声データの再生品質を向上させることができないという問題があった。
【０００８】
そこで、本発明は、上記問題に鑑みてなされたものであり、本発明の目的とするところは、放送波コンテンツの再生において、特に音声データの再生品質を向上させることが可能な、新規かつ改良されたコンテンツ再生システム、コンテンツ受信装置、音声再生装置、コンテンツ再生方法およびプログラムを提供することにある。
【課題を解決するための手段】
【０００９】
上記課題を解決するために、本発明のある観点によれば、放送波コンテンツを受信して復調する復調部と、前記復調部による復調結果としてのストリームを記憶する記憶部と、前記記憶部に記憶されたストリームを当該記憶部から読み出して復号する復号部と、前記復号部による復号結果のうちの音声データを音声再生装置に伝送路を介して送信する送信部と、前記復号部による前記ストリームの復号の際に使用するクロック信号を前記伝送路を介して前記音声再生装置に対して送受信可能な第１の送受信部と、を備える、コンテンツ受信装置と、前記送信部により前記伝送路を介して送信される前記音声データを受信する受信部と、前記復号部による前記ストリームの復号の際に使用するクロック信号を前記伝送路を介して前記コンテンツ受信装置に対して送受信可能な第２の送受信部と、を備える、前記音声再生装置と、を備える、コンテンツ再生システムが提供される。
【００１０】
前記第２の送受信部は、前記音声再生装置が備えるクロック信号生成回路により生成されたクロック信号を、前記復号部が前記ストリームの復号の際に使用するクロック信号として前記コンテンツ受信装置に送信し、前記第１の送受信部は、前記第２の送受信部により送信されるクロック信号を受信し、前記復号部は、前記第１の送受信部が受信したクロック信号を前記ストリームの復号の際に使用するクロック信号として使用してもよい。
【００１１】
前記音声再生装置が備えるクロック信号生成回路により生成されたクロック信号よりも前記コンテンツ受信装置が備えるクロック信号生成回路により生成されたクロック信号の精度が高い場合は、前記復号部は、前記コンテンツ受信装置が備えるクロック信号生成回路により生成されたクロック信号を前記ストリームの復号の際に使用するクロック信号として使用し、前記第１の送受信部は、前記コンテンツ受信装置が備えるクロック信号生成回路により生成されたクロック信号を、前記音声再生装置に送信し、前記第２の送受信部は、前記第１の送受信部により送信されるクロック信号を受信してもよい。
【００１２】
前記復号部は、前記ストリームの復号結果に基づいて、前記記憶部の記憶内容をリセットあるいは直前の画像および音声データと同一の画像および音声データを挿入してもよい。
【００１３】
また、上記課題を解決するために、本発明の別の観点によれば、放送波コンテンツを受信して復調する復調部と、前記復調部による復調結果としてのストリームを記憶する記憶部と、前記記憶部に記憶されたストリームを当該記憶部から読み出して復号する復号部と、前記復号部による復号結果のうちの音声データを音声再生装置に伝送路を介して送信する送信部と、前記復号部による前記ストリームの復号の際に使用するクロック信号を前記伝送路を介して前記音声再生装置に対して送受信可能な送受信部と、を備える、コンテンツ受信装置が提供される。
【００１４】
また、上記課題を解決するために、本発明の別の観点によれば、放送波コンテンツを受信するコンテンツ受信装置から伝送路を介して送信される音声データを受信する受信部と、前記コンテンツ受信装置が備える、前記放送波コンテンツの復調結果としてのストリームを復号する復号部による当該ストリームの復号の際に使用するクロック信号を前記伝送路を介して前記コンテンツ受信装置に対して送受信可能な送受信部と、を備える、前記音声再生装置が提供される。
【００１５】
また、上記課題を解決するために、本発明の別の観点によれば、コンテンツ受信装置により放送波コンテンツを受信して復調するステップと、前記コンテンツ受信装置により復調結果としてのストリームを記憶するステップと、前記コンテンツ受信装置により記憶されたストリームを読み出して復号するステップと、前記コンテンツ受信装置により復号結果のうちの音声データを音声再生装置に伝送路を介して送信するステップと、前記コンテンツ受信装置により前記ストリームの復号の際に使用するクロック信号を前記伝送路を介して前記音声再生装置に対して送信または受信するステップと、前記音声再生装置により前記伝送路を介して送信される前記音声データを受信するステップと、前記音声再生装置により前記ストリームの復号の際に使用するクロック信号を前記伝送路を介して前記コンテンツ受信装置に対して送信または受信するステップと、を有する、コンテンツ再生方法が提供される。
【００１６】
また、上記課題を解決するために、本発明の別の観点によれば、コンテンツ受信装置を、放送波コンテンツを受信して復調する復調部と、前記復調部による復調結果としてのストリームを記憶する記憶部と、前記記憶部に記憶されたストリームを当該記憶部から読み出して復号する復号部と、前記復号部による復号結果のうちの音声データを音声再生装置に伝送路を介して送信する送信部と、前記復号部による前記ストリームの復号の際に使用するクロック信号を前記伝送路を介して前記音声再生装置に対して送受信可能な第１の送受信部と、として機能させ、前記音声再生装置を、前記送信部により前記伝送路を介して送信される前記音声データを受信する受信部と、前記復号部による前記ストリームの復号の際に使用するクロック信号を前記伝送路を介して前記コンテンツ受信装置に対して送受信可能な第２の送受信部と、として機能させるためのプログラムが提供される。
【発明の効果】
【００１７】
以上説明したように本発明によれば、放送波コンテンツの再生において、特に音声データの再生品質を向上させることができる。
【図面の簡単な説明】
【００１８】
【図１】本発明の第１の実施の形態に係るＡＶシステムの構成を概略的に示す図である。
【図２】図１のＡＶシステムの構成を概略的に示すブロック図である。
【図３】ＨＤＭＩ送信部（ＨＤＭＩソース）とＨＤＭＩ受信部（ＨＤＭＩシンク）の構成例を示すブロック図である。
【図４】ＨＤＭＩトランスミッタとＨＤＭＩレシーバの構成例を示すブロック図である。
【図５】ＴＭＤＳ伝送データの構造を示す図である。
【図６】ＨＤＭＩ端子のピン配列（タイプＡ）を示す図である。
【図７】ＳＰＤＩＦ規格におけるフレーム構成を示す図である。
【図８】ＳＰＤＩＦ規格におけるサブフレーム構成を示す図である。
【図９】ＳＰＤＩＦ規格における信号変調方式を示す図である。
【図１０】ＳＰＤＩＦ規格におけるプリアンブルのチャンネルコーディングを示す図である。
【図１１】ＳＰＤＩＦ規格におけるチャンネルステータスのフォーマットを示す図である。
【図１２】ＳＰＤＩＦ規格におけるユーザデータのフォーマットを示す図である。
【図１３】第１の実施の形態におけるソース機器のソース側送受信回路、プラグ接続検出回路等の構成例を示す接続図である。
【図１４】第１の実施の形態におけるシンク機器のシンク側送受信回路、プラグ接続検出回路等の構成例を示す接続図である。
【図１５】実施の形態におけるＵｔｉｌｉｔｙラインおよびＨＰＤラインを使用した動作をまとめて示す図である。
【図１６】ＣＥＣラインで伝送されるＣＥＣデータの構造を示す図である。
【図１７】ヘッダブロックの構造例を示す図である。
【図１８】ＨＤＭＩの各機器の種類に応じて設定される論理アドレスを示す図である。
【図１９】図２のＡＶシステムにおけるソース機器が実行するクロック信号の送受信処理のフローチャートである。
【図２０】図２のＡＶシステムにおけるシンク機器が実行するクロック信号の送受信処理のフローチャートである。
【図２１】認証、鍵交換処理のシーケンス例を示す図である。
【図２２】本発明の第２の実施の形態に係るＡＶシステムの構成を概略的に示す図である。
【図２３】図２２のＡＶシステムの構成を概略的に示すブロック図である。
【図２４】第２の実施の形態におけるソース機器のソース側送受信回路、プラグ接続検出回路等の構成例を示す接続図である。
【図２５】第２の実施の形態におけるシンク機器のシンク側送受信回路、プラグ接続検出回路等の構成例を示す接続図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
１．第１の実施の形態（ソース機器側が音声出力を行う形態）
２．第２の実施の形態（リピータ機器側が音声出力を行う形態）
【００２１】
＜１．第１の実施の形態＞
［ＡＶシステムの構成例］
まず、本発明の第１の実施の形態に係るＡＶシステムについて説明する。図１は、本発明の第１の実施の形態に係るＡＶシステムの構成を概略的に示す図である。図２は、図１のＡＶシステムの構成を概略的に示すブロック図である。
【００２２】
図１および図２において、ＡＶシステム１００は、放送波コンテンツを再生可能なシステムであり、オーディオ機器等のソース機器１１０と、テレビ装置等のシンク機器１２０とを有している。このＡＶシステム１００において、ソース機器１１０およびシンク機器１２０はＨＤＭＩ  ＨＥＡＣ（HDMI Ethernet and Audio Return Channel）対応機器である。ここで、ＨＤＭＩ  ＨＥＡＣ対応機器であるとは、ＨＤＭＩケーブルを構成するＨＥＡＣ＋ラインおよびＨＥＡＣ−ラインによる通信路を用いた通信を行う通信部を有していることを意味する。
【００２３】
ソース機器１１０およびシンク機器１２０は、ＨＤＭＩケーブル１３０を介して接続されている。すなわち、ソース機器１１０はＨＤＭＩ端子１１１を備えており、シンク機器１２０はＨＤＭＩ端子１２１を備えている。ＨＤＭＩケーブル１３０の一端はソース機器１１０のＨＤＭＩ端子１１１に接続され、このＨＤＭＩケーブル１３０の他端はシンク機器１２０のＨＤＭＩ端子１２１に接続されている。また、シンク機器１２０は、放送波コンテンツを受信するためのアンテナ１４０を備えている。
【００２４】
ソース機器１１０は、ＨＤＭＩ端子１１１に接続された、ＨＤＭＩ送信部１１２、ソース側送受信回路１１３およびプラグ接続検出回路１１７を有している。ソース側送受信回路１１３には、イーサネット送受回路１１４およびＳＰＤＩＦ受信回路１１５が接続されている。
【００２５】
ＨＤＭＩ送信部１１２は、ＨＤＭＩに準拠した通信により、ベースバンドの映像（画像）と音声のデータを、ＨＤＭＩ端子１１１から送出する。ＨＤＭＩ送信部１１２の詳細は後述する。
【００２６】
ソース側送受信回路１１３は、ＨＤＭＩケーブル１３０を構成するＨＥＡＣ＋ラインおよびＨＥＡＣ−ラインを用いて伝送されるイーサネット信号をイーサネット送受信回路１１４とＨＤＭＩケーブル１３０との間でインタフェースする。また、ソース側送受信回路１１３は、ＨＤＭＩケーブル１３０を構成するＨＥＡＣ＋ラインおよびＨＥＡＣ−ラインを用いて伝送されるＳＰＤＩＦ信号をＳＰＤＩＦ受信回路１１５とＨＤＭＩケーブル１３０との間でインタフェースする。ソース側送受信回路１１３の詳細は後述する。
【００２７】
ＳＰＤＩＦ受信回路１１５は、ＳＰＤＩＦ信号を受信するための回路である。このＳＰＤＩＦ受信回路１１５はＳＰＤＩＦ規格に準拠した受信部を備えている。ＳＰＤＩＦ信号の詳細は後述する。イーサネット送受信回路１１４は、イーサネット信号を送受信するための回路であり、例えばインターネットプロトコル（ＩＰ）に準拠した双方向通信を行うものである。この場合、インターネットプロトコル（ＩＰ）の上位層としては、ＴＣＰ（Transmission Control Protocol）やＵＤＰ（User
Datagram Protocol）を用いることができる。
【００２８】
プラグ接続検出回路１１７は、ＨＤＭＩケーブル１３０のＨＰＤラインに接続する端子の電位を基準電位と比較することにより、シンク機器１２０の接続を検出する。
【００２９】
シンク機器１２０は、ＨＤＭＩ端子１２１に接続された、ＨＤＭＩ受信部１２２、シンク側送受信回路１２３およびプラグ接続伝達回路１２７を有している。シンク側送受信回路１２３には、イーサネット送受信回路１２４およびＳＰＤＩＦ送信回路１２５が接続されている。
【００３０】
ＨＤＭＩ受信部１２２は、ＨＤＭＩに準拠した通信により、ソース機器から一方向に送信されてくるベースバンドの映像と音声のデータを、ＨＤＭＩ端子１２１を介して受信する。ＨＤＭＩ受信部１２２の詳細は後述する。
【００３１】
シンク側送受信回路１２３は、ＨＤＭＩケーブル１３０を構成するＨＥＡＣ＋ラインおよびＨＥＡＣ−ラインを用いて伝送されるイーサネット信号を、イーサネット送受信回路１２４とＨＤＭＩケーブル１３０との間でインタフェースする。また、シンク側送受信回路１２３は、ＨＤＭＩケーブル１３０を構成するＨＥＡＣ＋ラインおよびＨＥＡＣ−ラインを用いて伝送されるＳＰＤＩＦ信号をＳＰＤＩＦ送信回路１２５とＨＤＭＩケーブル１３０との間でインタフェースする。シンク側送受信回路１２３の詳細は後述する。
【００３２】
ＳＰＤＩＦ送信回路１２５は、ＳＰＤＩＦ信号を送信するための回路である。このＳＰＤＩＦ送信回路１２５はＳＰＤＩＦ規格に準拠した送信部を備えている。イーサネット送受信回路１２４は、ソース機器１１０のイーサネット送受信回路１１４と同様に、イーサネット信号を送受信するための回路であり、例えばインターネットプロトコル（ＩＰ）に準拠した双方向通信を行うものである。
【００３３】
プラグ接続伝達回路１２７は、ＨＤＭＩケーブル１３０のＨＰＤラインに接続する端子を所定の電圧にバイアスすることにより、ソース機器１１０にシンク機器が接続されている旨を伝達する。
【００３４】
また、シンク機器１２０は、チューナ部１６０、バッファ部１６１、デコード部１６２および画像表示部１６３を有している。チューナ部１６０は、シンク機器１２０のアンテナ１４０を介して放送波コンテンツを受信して、受信した放送波コンテンツの復調を行う。バッファ部１６１は、チューナ部１６０にて復調されたＭＰＥＧ−ＴＳなどのストリームを一時的に保存する。
【００３５】
デコード部１６２は、バッファ部１６１に保存されているストリームを読み出して、読み出したストリームのデコードを行う。また、デコード部１６２は、当該ストリームのデコードの際に、後述するようにソース機器１１０から送信されてくるクロック信号、あるいはシンク機器１２０で生成されたクロック信号のいずれかのクロック信号に基づいて、デコードを行う。そして、デコード部１６２は、デコードされたストリームのうち、音声データをＳＰＤＩＦ送信回路１２５に入力して、後述するようにソース機器１１０側に送信する。また、デコード部１６２は、デコードされたストリームのうち、映像データを画像表示部１６３に入力する。画像表示部１６３は、入力された映像データの表示を行う。
【００３６】
また、ソース機器１１０は、Ｄ／Ａ変換部１５０および音声出力部１５１を有している。Ｄ／Ａ変換部１５０は、シンク機器１２０側から送信されてＳＰＤＩＦ受信回路１１５から入力されたデジタル音声データをＤ／Ａ変換して、アナログ音声データを生成する。また、Ｄ／Ａ変換部１５０は、デジタル音声データのＤ／Ａ変換の際に、後述するようにシンク機器１２０から送信されてくるクロック信号、あるいはソース機器１１０で生成されたクロック信号のいずれかのクロック信号に基づいて、Ｄ／Ａ変換を行う。そして、Ｄ／Ａ変換部１５０は、生成したアナログ音声データを音声出力部１５１に入力する。音声出力部１５１は、入力された音声データの再生を行う。
【００３７】
本実施の形態では、オーディオ機器等のソース機器１１０は、通常、非常に高品質なクロック信号を生成可能なクロック生成回路を搭載しているため、ソース機器１１０側で自身が搭載しているクロック生成回路により、上述したストリームのデコード用のクロック信号、通常は２７ＭＨｚのクロック信号を生成する。当該クロック生成回路により生成されたクロック信号は、ソース機器１１０が音声信号を再生する際に使用するクロック信号、通常は４８ｋＨｚのクロック信号とソースとなるクロック信号が同じであるため、これらのクロック信号は完全に同期しており、ジッタ成分などが低減されて高品質を保持している。
【００３８】
本実施の形態では、ソース機器１１０側がシンク機器１２０側に上述したストリームのデコード用のクロック信号を送信する。そして、シンク機器１２０は、受信したクロック信号を基準クロック信号として、バッファ部１６１に保存されているストリームのデコードを行い、デコードされたストリームのうち音声データをソース機器１１０側に送信する。ソース機器１１０は、受信した音声データは自身が搭載しているクロック生成回路により生成されたクロック信号と同期しているため、自身の音声データ再生用のクロック信号を基準クロック信号として音声データを再生することにより、音声データの再生品質を向上させることができる。
【００３９】
また、本実施の形態では、デコード部１６２は、上述したストリームのデコードの結果に基づいて、バッファ部１６１の記憶内容をリセットあるいは例えば直前の画像および音声データと同一の画像および音声データを挿入する。例えば、デコード部１６２は、上述したストリームのデコードの結果、放送波コンテンツにおいて、無音かつ映像がブラックアウトしている区間を検知した場合は、バッファ部１６１に記憶されているストリームをリセットあるいは無音かつブラックアウト映像データを挿入する。これにより、バッファ部１６１のバッファ量を制御することができる。
【００４０】
次に、図２に示すＡＶシステム１００の動作を説明する。本実施の形態におけるＡＶシステム１００では、ソース機器１１０からシンク機器１２０に送信すべき映像および音声のデータは、ＨＤＭＩに準拠した通信により、ソース機器１１０のＨＤＭＩ送信部１１２からＨＤＭＩケーブル１３０を介してシンク機器１２０に送信される。また、シンク機器１２０のＨＤＭＩ受信部１２２では、ＨＤＭＩに準拠した通信により、ソース機器１１０からＨＤＭＩケーブル１３０を送信されてくる映像および音声のデータが受信される。シンク機器１２０では、例えば、このように取得された映像および音声のデータにより画像表示および音声出力を行うこともできる。
【００４１】
また、ソース機器１１０のイーサネット送受信回路１１４と、シンク機器１２０のイーサネット送受信回路１２４との間で、ＨＤＭＩケーブル１３０を介して、インターネットプロトコル（ＩＰ）に準拠した双方向通信、つまりイーサネット信号の送受信が行われる。
【００４２】
また、ソース機器１１０のＳＰＤＩＦ受信回路１１５と、シンク機器１２０のＳＰＤＩＦ送信回路１２５との間で、ＨＤＭＩケーブル１３０を介して、ＳＰＤＩＦ信号の送受信が行われる。ＳＰＤＩＦ送信回路１２５では、オーディオデータ等のデータが処理されてＳＰＤＩＦ信号として送信される。一方、ＳＰＤＩＦ受信回路１１５では、受信されたＳＰＤＩＦ信号に対してデータ抽出処理、復号処理等が行われて、オーディオデータ等のデータが取得される。
【００４３】
［ＨＤＭＩ送信部、ＨＤＭＩ受信部等の構成例］
次に、ＨＤＭＩ送信部１１２およびＨＤＭＩ受信部１２２の詳細を説明する。図３は、ソース機器１１０のＨＤＭＩ送信部１１２と、シンク機器１２０のＨＤＭＩ受信部１２２の構成例を示している。
【００４４】
ＨＤＭＩ送信部１１２は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部１２２に一方向に送信するとともに、水平帰線区間または垂直帰線区間において、少なくとも画像データ（ビデオ信号）に付随する音声データ（オーディオ信号）や制御データ、その他の補助データ等に対応する差動信号を、複数のチャネルで、ＨＤＭＩ受信部１２２に一方向に送信する。
【００４５】
すなわち、ＨＤＭＩ送信部１１２は、ＨＤＭＩトランスミッタ８１を有する。ＨＤＭＩトランスミッタ８１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩケーブル１３０を介して接続されているＨＤＭＩ受信部１２２に、一方向にシリアル伝送する。
【００４６】
また、ＨＤＭＩトランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル１３０を介して接続されているＨＤＭＩ受信部１２２に、一方向にシリアル伝送する。
【００４７】
さらに、ＨＤＭＩトランスミッタ８１は、３つのＴＭＤＳチャネル＃０，＃１，＃２で送信する画素データに同期したピクセルクロックを、ＴＭＤＳクロックチャネルで、ＨＤＭＩケーブル１３０を介して接続されているＨＤＭＩ受信部１２２に送信する。ここで、１つのＴＭＤＳチャネル＃ｉ（ｉ=０，１，２）では、ピクセルクロックの１クロックの間に、１０ビットの画素データが送信される。
【００４８】
ＨＤＭＩ受信部１２２は、アクティブビデオ区間において、複数のチャネルで、ＨＤＭＩ送信部から一方向に送信されてくる、画素データに対応する差動信号を受信するとともに、水平帰線区間または垂直帰線区間において、複数のチャネルで、ＨＤＭＩ送信部１１２から一方向に送信されてくる、音声データや制御データに対応する差動信号を受信する。
【００４９】
すなわち、ＨＤＭＩ受信部１２２は、ＨＤＭＩレシーバ８２を有する。ＨＤＭＩレシーバ８２は、ＴＭＤＳチャネル＃０，＃１，＃２で、ＨＤＭＩケーブル１３０を介して接続されているＨＤＭＩ送信部１１２から一方向に送信されてくる、画素データに対応する差動信号と、音声データや制御データに対応する差動信号を、同じくＨＤＭＩ送信部１１２からＴＭＤＳクロックチャネルで送信されてくるピクセルクロックに同期して受信する。
【００５０】
ＨＤＭＩ送信部１１２とＨＤＭＩ受信部１２２とからなるＨＤＭＩシステムの伝送チャネルには、ＨＤＭＩ送信部１１２からＨＤＭＩ受信部１２２に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣ（Consumer
Electronics Control）ライン８４と呼ばれる伝送チャネルがある。
【００５１】
ＤＤＣ８３は、ＨＤＭＩケーブル１３０に含まれる図示しない２本の信号線からなり、ＨＤＭＩ送信部１１２が、ＨＤＭＩケーブル１３０を介して接続されたＨＤＭＩ受信部１２２から、Ｅ−ＥＤＩＤ（Enhanced Extended Display Identification Data）を読み出すために使用される。
【００５２】
すなわち、ＨＤＭＩ受信部１２２は、ＨＤＭＩレシーバ８２の他に、自身の性能（Configuration/capability）に関する性能情報であるＥ−ＥＤＩＤを記憶している、ＥＤＩＤ  ＲＯＭ（Read Only Memory）８５を有している。ＨＤＭＩ送信部１１２は、ＨＤＭＩケーブル１３０を介して接続されているＨＤＭＩ受信部１２２から、当該ＨＤＭＩ受信部１２２のＥ−ＥＤＩＤを、ＤＤＣ８３を介して読み出し、そのＥ−ＥＤＩＤに基づき、例えば、ＨＤＭＩ受信部１２２を有する電子機器が対応している画像のフォーマット（プロファイル）、例えば、ＲＧＢ、ＹＣｂＣｒ４：４：４、ＹＣｂＣｒ４：２：２等を認識する。
【００５３】
ＣＥＣライン８４は、ＨＤＭＩケーブル１３０に含まれる図示しない１本の信号線からなり、ＨＤＭＩ送信部１１２とＨＤＭＩ受信部１２２との間で、制御用のデータの双方向通信を行うのに用いられる。
【００５４】
また、ＨＤＭＩケーブル１３０には、ＨＰＤ（Hot Plug Detect）と呼ばれるピンに接続されるＨＰＤライン８６が含まれている。ソース機器１１０は、当該ＨＰＤライン８６を利用して、シンク機器１２０の接続を検出することができる。また、ＨＤＭＩケーブル１３０には、ソース機器からシンク機器に電源を供給するために用いられる電源ライン８７が含まれている。さらに、ＨＤＭＩケーブル１３０には、ユーティリティライン８８が含まれている。
【００５５】
図４は、図３のＨＤＭＩトランスミッタ８１とＨＤＭＩレシーバ８２の構成例を示している。
【００５６】
ＨＤＭＩトランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇ
component）はエンコーダ／シリアライザ８１Ｂに供給され、Ｒ成分（Ｒ component）はエンコーダ／シリアライザ８１Ｃに供給される。
【００５７】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００５８】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００５９】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００６０】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００６１】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００６２】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００６３】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００６４】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００６５】
ＨＤＭＩレシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００６６】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００６７】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００６８】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００６９】
図５は、ＨＤＭＩの３つのＴＭＤＳチャネル＃０，＃１，＃２で各種の伝送データが伝送される伝送区間（期間）の例を示している。なお、図５は、ＴＭＤＳチャネル＃０，＃１，＃２において、横×縦が７２０×４８０画素のプログレッシブの画像が伝送される場合の、各種の伝送データの区間を示している。
【００７０】
ＨＤＭＩの３つのＴＭＤＳチャネル＃０，＃１，＃２で伝送データが伝送されるビデオフィールド（Video Field）には、伝送データの種類に応じて、ビデオデータ区間（Video
Data period）、データアイランド区間（Data Island period）、およびコントロール区間（Control period）の３種類の区間が存在する。
【００７１】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical
blanking）、並びに、ビデオフィールド区間から、水平ブランキング期間および垂直ブランキング期間を除いた区間であるアクティブビデオ区間（Active Video）に分けられる。
【００７２】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００７３】
データアイランド区間およびコントロール区間は、水平ブランキング期間および垂直ブランキング期間に割り当てられる。このデータアイランド区間およびコントロール区間では、補助データ（Auxiliary data）が伝送される。
【００７４】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００７５】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００７６】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍｂｐｓ程度である。
【００７７】
図６は、ＨＤＭＩコネクタのピン配列を示している。このピン配列は、タイプＡ（type-A）の例である。ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００７８】
また、制御用のデータであるＣＥＣ信号が伝送されるＣＥＣライン８４は、ピン番号が１３であるピンに接続され、ピン番号が１４のピンはＵｔｉｌｉｔｙラインに接続されている。また、Ｅ−ＥＤＩＤ等のＳＤＡ（Serial Data）信号が伝送されるラインは、ピン番号が１６であるピンに接続され、ＳＤＡ信号の送受信時の同期に用いられるクロック信号であるＳＣＬ（Serial Clock）信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００７９】
また、上述したようにソース機器がシンク機器の接続を検出するためのＨＰＤライン８６は、ピン番号が１９であるピンに接続される。また、上述したように電源を供給するための電源ライン８７は、ピン番号が１８であるピンに接続される。
【００８０】
［ＳＰＤＩＦ規格の概要］
次にＳＰＤＩＦ規格の概要について説明する。図７は、ＳＰＤＩＦ規格におけるフレーム構成を示す図である。ＳＰＤＩＦ規格では、各フレームは２つのサブフレームから構成される。２チャンネルステレオ音声の場合、１つ目のサブフレームに左チャンネル信号が含まれ、２つ目のサブフレームに右チャンネル信号が含まれる。
【００８１】
サブフレームの先頭には後述するようにプリアンブルが設けられ、左チャンネル信号にはプリアンブルとして「Ｍ」が、右チャンネル信号にはプリアンブルとして「Ｗ」が付与される。ただし、１９２フレーム毎に先頭のプリアンブルにはブロックの開始を表す「Ｂ」が付与される。すなわち、１ブロックは１９２フレームにより構成される。ブロックは、後述するチャンネルステータスを構成する単位である。
【００８２】
図８は、ＳＰＤＩＦ規格におけるサブフレーム構成を示す図である。サブフレームは、第０乃至第３１の計３２のタイムスロットから構成される。第０乃至第３タイムスロットは、プリアンブル（Sync preamble）を示す。このプリアンブルは、上述のように左右チャンネルの区別やブロックの開始位置を表すために、「Ｍ」、「Ｗ」または「Ｂ」の何れかを示す。
【００８３】
第４乃至第２７タイムスロットはメインデータフィールドであり、２４ビットコードレンジが採用される場合には全体が音声データを表す。また、２０ビットコードレンジが採用される場合には第８乃至第２７タイムスロットが音声データ（Audio sample word）を表す。後者の場合、第４乃至第７タイムスロットは追加情報（Auxiliary sample bits）として利用することができる。
【００８４】
第２８タイムスロットは、メインデータフィールドの有効フラグ（Validity flag）である。第２９タイムスロットは、ユーザデータ（User
data）の１ビット分を表す。各フレームにまたがってこの第２９タイムスロットを累積することによって一連のユーザデータを構成することができる。このユーザデータのメッセージは８ビットの情報ユニット（ＩＵ：Information Unit）を単位として構成され、１つのメッセージには３乃至１２９個の情報ユニットが含まれる。
【００８５】
情報ユニット間には０乃至８ビットの「０」が存在し得る。情報ユニットの先頭は開始ビット「１」により識別される。メッセージ内の最初の７個の情報ユニットは予約されており、８個目以降の情報ユニットにユーザは任意の情報を設定することができる。メッセージ間は８ビット以上の「０」により分割される。
【００８６】
第３０タイムスロットは、チャンネルステータス（Channel status）の１ビット分を表す。各フレームにまたがってブロック毎に第３０タイムスロットを累積することによって一連のチャンネルステータスを構成することができる。なお、ブロックの先頭位置は、上述のように、プリアンブル（第０乃至第３タイムスロット）により示される。
【００８７】
第３１タイムスロットは、パリティビット（Parity bit）である。第４乃至第３１タイムスロットに含まれる「０」および「１」の数が偶数になるように、このパリティビットが付与される。
【００８８】
図９は、ＳＰＤＩＦ規格における信号変調方式を示す図である。ＳＰＤＩＦ規格では、サブフレームのうちプリアンブルを除く第４乃至第３１タイムスロットがバイフェーズマーク変調される。このバイフェーズマーク変調の際には、元の信号（ソースコーディング）の２倍速のクロックが用いられる。元の信号のクロックサイクルを前半と後半に分けると、前半のクロックサイクルのエッジで、バイフェーズマーク変調の出力は必ず反転する。また、後半クロックサイクルのエッジにおいて、元の信号が「１」を示しているときには反転し、元の信号が「０」を示しているときには反転しない。これにより、バイフェーズマーク変調された信号から元の信号におけるクロック成分を抽出できることになる。
【００８９】
図１０は、ＳＰＤＩＦ規格におけるプリアンブルのチャンネルコーディングを示す図である。上述のように、サブフレームのうち第４乃至第３１タイムスロットはバイフェーズマーク変調される。一方、第０乃至第３タイムスロットのプリアンブルは通常のバイフェーズマーク変調ではなく、２倍速のクロックに同期したビットパターンとして扱われる。すなわち、第０乃至第３タイムスロットの各タイムスロットに２ビットずつ割り当てることにより、同図のような８ビットパターンを得る。
【００９０】
直前の状態が「０」であれば、プリアンブル「Ｂ」には「１１１０１０００」が、「Ｍ」には「１１１０００１０」が、「Ｗ」には「１１００１００」がそれぞれ割り当てられる。一方、直前の状態が「１」であれば、プリアンブル「Ｂ」には「０００１０１１１」が、「Ｍ」には「０００１１１０１」が、「Ｗ」には「０００１１０１１」がそれぞれ割り当てられる。
【００９１】
図１１は、ＳＰＤＩＦ規格におけるチャンネルステータスのフォーマットを示す図である。チャンネルステータスは、サブフレームにおける第３０タイムスロットをブロック毎に累積したものであり、同じサブフレームによって伝送されるオーディオチャンネルに関する情報を保持するものである。この図では、チャンネルステータスの内容が縦方向に１バイトずつ配置され、横方向には各バイトにおけるビット構成が示されている。なお、ここでは、民生用（Consumer use）のフォーマットを想定して説明する。
【００９２】
第０バイトにおいて、第０ビット目は、このチャンネルステータスが民生用であることを示すビットである。第１ビット目は、リニアＰＣＭのサンプルであるか否かを示すビットである。第２ビット目は、著作権の設定されているソフトウェアであるか否かを示すビットである。第３乃至５ビットは、追加フォーマット情報（Additional format information）として、例えば、プリエンファシス（pre-emphasis）の有無などを含むフィールドである。第６および７ビットは、モードを示すフィールドである。
【００９３】
第１バイトは、カテゴリーコードを示すフィールドである。このカテゴリーコードは、オーディオ信号を生成する装置の機種を示すものである。このカテゴリーコードは、チャンネルステータスの先頭から数えて第８乃至１５ビットに配置される。
【００９４】
第２バイトにおいて、第０乃至３ビットは、ソース番号を示すフィールドである。このソース番号は、ソースを識別する番号であり、「１」から「１５」のレンジを示す。第４乃至７ビットは、チャンネル番号を示すフィールドである。このチャンネル番号は、右チャンネルか左チャンネルかを識別する番号である。
【００９５】
第３バイトにおいて、第０乃至３ビットは、サンプリング周波数を示すフィールドである。このサンプリング周波数として、例えば、「００００」は４４．１ＫＨｚを表す。第４および５ビットは、クロック精度を示すフィールドである。このクロック精度は、精度のレベルを３段階で示す。
【００９６】
第４バイトにおいて、第０乃至３ビットは、ワード長を示すフィールドである。第０ビット目が「０」であれば最大サンプル長は２０ビット、「１」であれば最大サンプル長は２４ビットであることを意味する。そして、続く第１乃至３ビットにおいて具体的なビット数を特定することが可能である。第４および５ビットは、オリジナルサンプリング周波数を示すフィールドである。
【００９７】
図１２は、ＳＰＤＩＦ規格におけるユーザデータのフォーマットを示す図である。ユーザデータは、サブフレームにおける第２９タイムスロットをブロック毎に累積したものである。上述のように、ユーザデータのメッセージは、８ビットの情報ユニット（ＩＵ）を単位として構成され、１つのメッセージには３乃至１２９個の情報ユニットが含まれる。また、メッセージ間は８ビット以上の「０」により分割され、情報ユニットの先頭は開始ビット「１」により識別される。
【００９８】
先頭の情報ユニットは、図１２（ａ）に示すように、モードおよびアイテムを含む。モードは、メッセージのクラスを示すフィールドであり、例えばプリセット情報などを示す。アイテムは、メッセージのタイプをさらに定義するためのフィールドである。２番目の情報ユニットは、図１２（ｂ）に示すように、情報ユニットの数を含む。先頭ビットを除く７ビットにより、「１」から「１２７」のレンジで情報ユニットの数を示すことができる。
【００９９】
３番目の情報ユニットは、図１２（ｃ）に示すように、カテゴリーコードを含む。このカテゴリーコードは、図１１のチャンネルステータスの第１バイトにより示されるオーディオデータの生成元におけるカテゴリーコードである。ユーザデータでは情報ユニットの先頭ビットが開始ビットとなるため、有効なデータは７ビット分である。この７ビットは、チャンネルステータスにおける第８乃至１４ビットに相当する。第１５ビット目であるＬビットは、商用のプリレコードソフトウェアを示すビットであるため、このユーザデータのメッセージには含まれない。
【０１００】
４乃至７番目の情報ユニットは、図１２（ｄ）に示すように、３つのユーザ情報Ｘ、ＹおよびＺを含む。これら３つのユーザ情報としては１バイト（８ビット）ずつ割り当てられている。
【０１０１】
［ソース側送受信回路、シンク側送受信回路等の構成例］
図１３は、ソース機器１１０のソース側送受信回路１１３、プラグ接続検出回路１１７等の構成例を示している。イーサネット送受信回路１１４は、ＨＤＭＩケーブル１３０を構成する複数のラインのうち、１対のラインにより構成された伝送路を用いてＬＡＮ（Local Area Network）通信、つまりイーサネット信号の送受信を行う。この実施の形態において、一対のラインは、Ｕｔｉｌｉｔｙピン（１４ピン）に対応したＨＥＡＣ＋ラインおよびＨＰＤピン（１９ピン）に対応したＨＥＡＣ−ラインである。
【０１０２】
また、ＳＰＤＩＦ受信回路１１５は、上述の一対のラインにより構成された伝送路を用いて、ＳＰＤＩＦ信号を受信する。そして、このＳＰＤＩＦ受信回路１１５は、１対のラインにより構成された伝送路を用いてＳＰＤＩＦ信号に同期したクロック信号が送信されてくる場合には、当該クロック信号の使用が可能とされている。さらに、クロック生成回路４３５で生成された、ＳＰＤＩＦ信号に同期したクロック信号を、上述の１対のラインにより構成された伝送路を用いて送信することが可能とされている。また、ＳＰＤＩＦ受信回路１１５は、受信したＳＰＤＩＦ信号をＤ／Ａ変換部１５０に送信することが可能とされている。
【０１０３】
ソース機器１１０は、ＬＡＮ信号送信回路４１１、終端抵抗４１２、ＡＣ結合容量４１３，４１４、ＬＡＮ信号受信回路４１５、減算回路４１６、増幅器４１７，４１８、加算回路４１９および増幅器４２０を有している。これらは、ソース側送受信回路１１３を構成している。
【０１０４】
また、ソース機器１１０は、プラグ接続検出回路１１７を構成する、プルダウン抵抗４３１、抵抗４３２、容量４３３および比較器４３４を有している。ここで、抵抗４３２および容量４３３は、ローパスフィルタを構成している。また、ソース機器１１０は、クロック生成回路４３５、切換スイッチ４７５および接続スイッチ４７６を有している。
【０１０５】
ＡＣ結合容量４１３と終端抵抗４１２の互いの接続点Ｐ１は、加算回路４７１の出力側に接続されると共に、ＬＡＮ信号受信回路４１５の正入力側に接続される。また、ＡＣ結合容量４１４と終端抵抗４１２の互いの接続点Ｐ２は、加算回路４７２の出力側に接続されると共に、ＬＡＮ信号受信回路４１５の負入力側に接続される。
【０１０６】
また、ＬＡＮ信号送信回路４１１の入力側には、イーサネット送受信回路１１４から差動入力の増幅器４１７を介して送信信号（送信データ）ＳＧ411が供給される。
【０１０７】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号ＳＧ413が得られる。
【０１０８】
この受信信号ＳＧ413は、増幅器４１８を介して、差動出力としてイーサネット送受信回路１１４に供給されると共に、切換スイッチ４７５のｂ側の固定端子に供給される。この受信信号ＳＧ413は、ＨＥＡＣ＋ラインおよびＨＥＡＣ−ラインを介して、ＬＡＮ信号（イーサネット信号）が差動信号として送信されてくる場合には、当該ＬＡＮ信号となる。一方、この受信信号ＳＧ413は、ＨＥＡＣ＋ラインおよびＨＥＡＣ−ラインを介して、クロック信号が差動信号として送信されてくる場合には、当該クロック信号となる。
【０１０９】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ソース機器１１０の図示しない制御部（ＣＰＵ）に供給される。
【０１１０】
また、ＡＣ結合容量４１３と終端抵抗４１２の互いの接続点Ｐ１は、加算回路４１９の一方の入力端子に接続される。また、ＡＣ結合容量４１４と終端抵抗４１２の互いの接続点Ｐ２は、加算回路４１９の他方の入力端子に接続される。
【０１１１】
この加算回路４１９の出力信号は、シンク機器１２０からＨＥＡＣ＋ラインおよびＨＥＡＣ−ラインを介して、ＳＰＤＩＦ信号が同相信号として送信されてくる場合には、当該ＳＰＤＩＦ信号となる。この加算回路４１９の出力信号は、増幅器４２０を介してＳＰＤＩＦ受信回路１１５に供給されると共に、クロック生成回路４３５に供給される。
【０１１２】
クロック生成回路４３５はＰＬＬ回路を備えており、ＳＰＤＩＦ信号が供給される場合には、このＳＰＤＩＦ信号を参照信号として、このＳＰＤＩＦ信号に同期したクロック信号を生成する。このクロック生成回路４３５で生成されたクロック信号は切換スイッチ４７５のａ側の固定端子に供給される。そして、この切換スイッチ４７５の可動端子に得られるクロック信号はＳＰＤＩＦ受信回路１１５、およびＤ／Ａ変換部１５０の動作クロックとして供給される。
【０１１３】
切換スイッチ４７５は、図示しない制御部（ＣＰＵ）により、その切り換えが制御される。切換スイッチ４７５は、受信部、およびＤ／Ａ変換部１５０の動作クロックとしてシンク機器１２０側から送られてくるクロック信号を使用する場合にはｂ側に接続される。一方、切換スイッチ４７５は、ＳＰＤＩＦ受信回路１１５、およびＤ／Ａ変換部１５０の動作クロックとしてクロック生成回路４３５で生成されたクロック信号を使用する場合にはａ側に接続される。
【０１１４】
また、クロック生成回路４３５から出力されるクロック信号は、接続スイッチ４７６を介してＬＡＮ信号送信回路４１１の入力側に供給される。接続スイッチ４７６は、図示しない制御部（ＣＰＵ）により、その接続が制御される。接続スイッチ４７６は、シンク機器１２０側にクロック信号を送信する場合には接続状態とされ、シンク機器１２０側にクロック信号を送信しない場合には非接続状態とされる。
【０１１５】
図１４は、シンク機器１２０のシンク側送受信回路１２３、プラグ接続伝達回路１２７等の構成例を示している。イーサネット送受信回路１２４は、ＨＤＭＩケーブル１３０を構成する複数のラインのうち、１対のラインにより構成された伝送路を用いてＬＡＮ（Local Area Network）通信、つまりイーサネット信号の送受信を行う。この実施の形態において、一対のラインは、上述したように、Ｕｔｉｌｉｔｙピン（１４ピン）に対応したＨＥＡＣ＋ラインおよびＨＰＤピン（１９ピン）に対応したＨＥＡＣ−ラインである。
【０１１６】
また、ＳＰＤＩＦ送信回路１２５は、上述の一対のラインにより構成された伝送路を用いて、ＳＰＤＩＦ信号を送信する。そして、クロック生成回路４５２で生成された、ＳＰＤＩＦ信号に同期したクロック信号を、上述の１対のラインにより構成された伝送路を用いて送信することが可能とされている。また、ＳＰＤＩＦ送信回路１２５は、デコード部１６２から受信したオーディオデータをＳＰＤＩＦ信号としてソース機器１１０側に送信することが可能とされている。
【０１１７】
シンク機器１２０は、ＬＡＮ信号送信回路４４１、終端抵抗４４２、ＡＣ結合容量４４３，４４４、ＬＡＮ信号受信回路４４５、減算回路４４６、増幅器４４７，４４８、加算回路４４９，４５０、および増幅器４５１を有している。これらは、シンク側送受信回路１２３を構成している。
【０１１８】
また、シンク機器１２０は、プラグ接続伝達回路１２７を構成する、チョークコイル４６１、抵抗４６２および抵抗４６３を有している。また、シンク機器１２０は、クロック生成回路４５２、切換スイッチ４８４および接続スイッチ４８５を有している。
【０１１９】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５４の直列回路が接続される。
【０１２０】
ＡＣ結合容量４４３と終端抵抗４４２の互いの接続点Ｐ３は、加算回路４４９の出力側に接続されると共に、ＬＡＮ信号受信回路４４５の正入力側に接続される。また、ＡＣ結合容量４４４と終端抵抗４４２の互いの接続点Ｐ４は、加算回路４５０の出力側に接続されると共に、ＬＡＮ信号受信回路４４５の負入力側に接続される。
【０１２１】
また、加算回路４４９の一方の入力側はＬＡＮ信号送信回路４４１の正出力側に接続され、この加算回路４４９の他方の入力側にはＳＰＤＩＦ送信回路１２５から出力されるＳＰＤＩＦ信号が増幅器４５１を介して供給される。また、加算回路４５０の一方の入力側はＬＡＮ信号送信回路４４１の負出力側に接続され、この加算回路４５０の他方の入力側にはＳＰＤＩＦ送信回路１２５から出力されるＳＰＤＩＦ信号が増幅器４５１を介して供給される。
【０１２２】
ＬＡＮ信号送信回路４４１の入力側には、イーサネット送受信回路１２４から差動入力の増幅器４４７を介して送信信号（送信データ）ＳＧ417が供給される。また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。また、減算回路４４６で得られる受信信号ＳＧ419は、増幅器４４８を介して差動出力としてイーサネット送受信回路１２４に供給されると共に、切換スイッチ４８４のｂ側の固定端子に供給される。この受信信号ＳＧ419は、ＨＥＡＣ＋ラインおよびＨＥＡＣ−ラインを介して、ＬＡＮ信号（イーサネット信号）が差動信号として送信されてくる場合には、当該ＬＡＮ信号となる。一方、この受信信号ＳＧ419は、ＨＥＡＣ＋ラインおよびＨＥＡＣ−ラインを介して、クロック信号が差動信号として送信されてくる場合には、当該クロック信号となる。
【０１２３】
クロック生成回路４５２はＰＬＬ回路を備えており、このクロック生成回路４５２で生成されたクロック信号は切換スイッチ４８４のａ側の固定端子に供給される。そして、この切換スイッチ４８４の可動端子に得られるクロック信号はＳＰＤＩＦ送信回路１２５、およびデコード部１６２の動作クロックとして供給される。
【０１２４】
切換スイッチ４８４は、図示しない制御部（ＣＰＵ）により、その切り換えが制御される。切換スイッチ４８４は、デコード部１６２の動作クロックとしてソース機器１１０側から送られてくるクロック信号を使用する場合にはｂ側に接続される。一方、切換スイッチ４８４は、デコード部１６２の動作クロックとしてクロック生成回路４５２で生成されたクロック信号を使用する場合にはａ側に接続される。
【０１２５】
また、クロック生成回路４５２から出力されるクロック信号はＳＰＤＩＦ送信回路１２５に送信部の動作クロックとして供給される。そのため、ＳＰＤＩＦ送受信回路１２５から出力されるＳＰＤＩＦ信号は、クロック生成回路４５２から出力されるクロック信号に同期したものとなる。また、クロック生成回路４５２から出力されるクロック信号は、接続スイッチ４８５を介してＬＡＮ信号送信回路４４１の入力側に供給される。接続スイッチ４８５は、図示しない制御部（ＣＰＵ）により、その接続が制御される。接続スイッチ４８５は、ソース機器１１０側にクロック信号を送信する場合には接続状態とされ、ソース機器１１０側にクロック信号を送信しない場合には非接続状態とされる。
【０１２６】
図１３、図１４に示すように、ＨＤＭＩケーブル１３０に含まれるＨＥＡＣ＋ライン５０１およびＨＥＡＣ−ライン５０２は、ツイストペアを構成している。ＨＥＡＣ＋ライン５０１のソース側端５１１は、ソース機器１１０のＨＤＭＩ端子１１１の１４ピンに接続され、当該ＨＥＡＣ＋ライン５０１のシンク側端５２１はシンク機器１２０のＨＤＭＩ端子１２１の１４ピンに接続される。また、ＨＥＡＣ−ライン５０２のソース側端５１２はソース機器１１０のＨＤＭＩ端子１１１の１９ピンに接続され、当該ＨＥＡＣ−ライン５０２のシンク側端５２２はシンク機器１２０のＨＤＭＩ端子１２１の１９ピンに接続される。
【０１２７】
ソース機器１１０において、上述したプルダウン抵抗４３１とＡＣ結合容量４１４の互いの接続点Ｑ２はＨＤＭＩ端子１１１の１９ピンに接続される。
【０１２８】
シンク機器１２０において、上述したチョークコイル４６１とＡＣ結合容量４４４の互いの接続点Ｑ４はＨＤＭＩ端子１２１の１９ピンに接続される。
【０１２９】
［ＬＡＮ通信動作］
図１３、図１４に示す構成において、ＬＡＮ通信の動作を説明する。ソース機器１１０において、送信信号（送信データ）ＳＧ411はイーサネット送受信回路１１４から増幅器４１７を介してＬＡＮ信号送信回路４１１の入力側に供給される。このＬＡＮ信号送信回路４１１から送信信号ＳＧ411に対応した差動信号（正出力信号、負出力信号）が出力される。この差動信号は、接続点Ｐ１，Ｐ２に供給され、ＨＤＭＩケーブル１３０の１対のライン（ＨＥＡＣ＋ライン５０１、ＨＥＡＣ−ライン５０２）を通じて、シンク機器１２０に送信される。
【０１３０】
また、シンク機器１２０において、送信信号（送信データ）ＳＧ417はイーサネット送受信回路１２４から増幅器４４７を介してＬＡＮ信号送信回路４４１の入力側に供給される。このＬＡＮ信号送信回路４４１から送信信号ＳＧ417に対応した差動信号（正出力信号、負出力信号）が出力される。この差動信号は、接続点Ｐ３，Ｐ４に供給され、ＨＤＭＩケーブル１３０の１対のライン（ＨＥＡＣ＋ライン５０１、ＨＥＡＣ−ライン５０２）を通じて、ソース機器１１０に送信される。
【０１３１】
また、ソース機器１１０において、ＬＡＮ信号受信回路４１５の入力側は接続点Ｐ１，Ｐ２に接続されている。そのため、ＬＡＮ信号受信回路４１５の出力信号ＳＧ412として、ＬＡＮ信号送信回路４１１から出力された差動信号（電流信号）に対応した送信信号と、上述したようにシンク機器１２０から送信されてくる差動信号に対応した受信信号との加算信号が得られる。減算回路４１６では、ＬＡＮ信号受信回路４１５の出力信号ＳＧ412から送信信号ＳＧ411が減算される。そのため、減算回路４１６の出力信号ＳＧ413は、シンク機器１２０の送信信号（送信データ）ＳＧ417に対応したものとなる。この出力信号ＳＧ413は、増幅器４１８を介してイーサネット送受信回路１１４に供給される。
【０１３２】
また、シンク機器１２０において、ＬＡＮ信号受信回路４４５の入力側は接続点Ｐ３，Ｐ４に接続されている。そのため、当該ＬＡＮ信号受信回路４４５の出力信号ＳＧ418として、ＬＡＮ信号送信回路４４１から出力された差動信号（電流信号）に対応した送信信号と、上述したようにソース機器１１０から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ソース機器１１０の送信信号（送信データ）ＳＧ411に対応したものとなる。この出力信号ＳＧ419は、増幅器４４８を介してイーサネット送受信回路１２４に供給される。
【０１３３】
このように、ソース機器１１０のイーサネット送受信回路１１４と、シンク機器１２０のイーサネット送受信回路１２４との間では、双方向のＬＡＮ信号（イーサネット信号）の通信を行うことができる。
【０１３４】
［ＳＰＤＩＦ信号の伝送動作］
図１３、図１４に示す構成において、ＳＰＤＩＦ信号の伝送動作を説明する。シンク機器１２０において、ＳＰＤＩＦ送信回路１２５から出力されるＳＰＤＩＦ信号は、増幅器４５１および加算器４４９，４５０を介して、接続点Ｐ３，Ｐ４に供給される。これにより、ＳＰＤＩＦ信号は、同相信号として、ＨＤＭＩケーブル１３０の１対のライン（ＨＥＡＣ＋ライン５０１、ＨＥＡＣ−ライン５０２）を通じて、ソース機器１１０に送信される。
【０１３５】
また、ソース機器１１０において、接続点Ｐ１，Ｐ２はそれぞれ加算回路４１９の入力側に接続されている。そのため、加算回路４１９の出力信号として、シンク機器１２０から送信されてくるＳＰＤＩＦ信号が得られる。このＳＰＤＩＦ信号は、増幅器４２０を介してＳＰＤＩＦ受信回路１１５に供給される。
【０１３６】
このように、ソース機器１１０のＳＰＤＩＦ受信回路１１５と、シンク機器１２０のＳＰＤＩＦ送信回路１２５との間で、ＳＰＤＩＦ信号の伝送が可能となる。
【０１３７】
［クロック信号］
ソース機器１１０のＳＰＤＩＦ受信回路１１５では、受信されたＳＰＤＩＦ信号に対して、当該ＳＰＤＩＦ信号に対応したクロック信号に基づいて、データ抽出処理、復号処理等が行われて、オーディオデータ等のデータが取得される。ＳＰＤＩＦ受信回路１１５では、受信部の動作クロックとして、ソース機器１１０が持つクロック生成回路４３５で生成されたクロック信号、あるいは、シンク機器１２０から送信されてくるクロック信号のいずれかが使用される。また、Ｄ／Ａ変換部１５０では、動作クロックとして、ソース機器１１０が持つクロック生成回路４３５で生成されたクロック信号、あるいは、シンク機器１２０から送信されてくるクロック信号のいずれかが使用される。
【０１３８】
まず、クロック生成回路４３５で生成されたクロック信号が使用される状態について説明する。この場合、シンク機器１２０において、接続スイッチ４８５は非接続状態とされ、クロック生成回路４５２で生成されたクロック信号ＣＬＫは、ソース機器１１０に送信されない。また、この場合、ソース機器１１０において、切換スイッチ４７５はａ側に接続される。これにより、クロック生成回路４３５で生成されたクロック信号がＳＰＤＩＦ受信回路１１５に動作クロックとして供給されるとともに、Ｄ／Ａ変換部１５０の動作クロックとして供給される。
【０１３９】
なお、クロック生成回路４３５で生成されるクロック信号は、受信ＳＰＤＩＦ信号を参照信号としてＰＬＬ回路で発生されたものであり、当該ＳＰＤＩＦ信号に同期したものとなる。従って、ＳＰＤＩＦ受信回路１１５の受信部では、ＳＰＤＩＦ信号に対して、当該ＳＰＤＩＦ信号に同期したクロック信号ＣＬＫに基づいて、データ抽出処理、復号処理等が行われて、オーディオデータ等のデータが取得される。
【０１４０】
次に、シンク機器１２０から送信されてくるクロック信号が使用される状態について説明する。シンク機器１２０において、接続スイッチ４８５は接続状態とされる。クロック生成回路４５２で生成されるクロック信号は、ＬＡＮ信号送信回路４４１の入力側に供給される。このＬＡＮ信号送信回路４４１から、クロック信号に対応した差動信号（正出力信号、負出力信号）が出力される。この差動信号は、接続点Ｐ３，Ｐ４に供給され、ＨＤＭＩケーブル１３０の１対のライン（ＨＥＡＣ＋ライン５０１、ＨＥＡＣ−ライン５０２）を通じて、ソース機器１１０に送信される。
【０１４１】
また、ソース機器１１０において、切換スイッチ４７５は、ｂ側に接続される。そして、ソース機器１１０において、ＬＡＮ信号受信回路４１５の入力側は接続点Ｐ１，Ｐ２に接続されている。そのため、ＬＡＮ信号受信回路４１５の出力信号ＳＧ412、従って減算回路４１６のＳＧ413は、シンク機器１２０から送信されたクロック信号ＣＬＫとなる。このクロック信号ＣＬＫは、切換スイッチ４７５を介して、ＳＰＤＩＦ受信回路１１５に動作クロックとして供給されるとともに、Ｄ／Ａ変換部１５０の動作クロックとして供給される。
【０１４２】
なお、ＳＰＤＩＦ受信回路１１５に供給されるＳＰＤＩＦ信号は、シンク機器１２０のＳＰＤＩＦ送信回路１２５において、クロック生成回路４５２で生成されたクロック信号ＣＬＫを動作クロックとして得られたものである。そのため、ソース機器１１０において、ＳＰＤＩＦ受信回路１１５に供給されるシンク機器１２０から送信されてきたクロック信号ＣＬＫは、当該ＳＰＤＩＦ受信回路１１５に供給される受信ＳＰＤＩＦ信号に同期したものとなっている。従って、ＳＰＤＩＦ受信回路１１５では、ＳＰＤＩＦ信号に対して、当該ＳＰＤＩＦ信号に同期したクロック信号に基づいて、データ抽出処理、復号処理等が行われて、オーディオデータ等のデータが取得される。
【０１４３】
なお、上述はソース機器１１０のＳＰＤＩＦ受信回路１１５、およびＤ／Ａ変換部１５０の動作クロックに着目したものである。詳細説明は省略するが、シンク機器１２０のＳＰＤＩＦ送信回路１２５、およびデコード部１６２の動作クロックに関しても、同様である。すなわち、これら送信部、およびデコード部１６２の動作クロックとして、シンク機器１２０が持つクロック生成回路４５２で生成されたクロック信号、あるいは、ソース機器１１０から送信されてくるクロック信号のいずれかが使用される。
【０１４４】
［機種検出、プラグ接続検出］
なお、図１３、図１４において、ＨＰＤライン５０２は、上述のＬＡＮ通信の他に、ＤＣバイアスレベルで、ＨＤＭＩケーブル１３０がシンク機器１２０に接続されたことをソース機器１１０に伝達する。すなわち、シンク機器１２０内の抵抗４６２，４６３とチョークコイル４６１は、ＨＤＭＩケーブル１３０がシンク機器１２０に接続されるとき、ＨＰＤライン５０２を、ＨＤＭＩ端子１２１の１９ピンを介して、約４Ｖにバイアスする。ソース機器１１０は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１４５】
ソース機器１１０のＨＤＭＩ端子１１１の１９ピンの電圧は、ＨＤＭＩケーブル１３０がシンク機器１２０に接続されていなければ、プルダウン抵抗４３１が存在するために基準電圧Ｖref2より低く、逆に、ＨＤＭＩケーブル１３０がシンク機器１２０に接続されていれば基準電圧Ｖref2より高い。したがって、比較器４３４の出力信号ＳＧ415は、ＨＤＭＩケーブル１３０がシンク機器１２０に接続されているときは高レベルとなり、そうでないときは低レベルとなる。これにより、ソース機器１２０の図示しない制御部（ＣＰＵ）は、比較器４３４の出力信号ＳＧ415に基づいて、ＨＤＭＩケーブル１３０がシンク機器１２０に接続されたか否かを認識できる。
【０１４６】
さらに、図１４に示したプルダウン抵抗４６３がシンク機器１２０内ではなく、ＨＤＭＩケーブル１３０内に設けられているようにしてもよい。そのような場合、抵抗４６３の端子のそれぞれは、ＨＤＭＩケーブル１３０内に設けられたラインのうち、ＨＰＤライン５０２、およびグランド（基準電位）に接続されるラインのそれぞれに接続される。
【０１４７】
上述したように、シンク機器１２０はソース機器１１０にクロック信号を、ＨＥＡＣ＋ラインおよびＨＥＡＣ−ラインからなる伝送路を介して、差動信号として送ることが可能とされている。一方、ソース機器１１０はシンク機器１２０からＨＥＡＣ＋ラインおよびＨＥＡＣ−ラインからなる伝送路を介して、差動信号として送られてくるクロック信号を抽出して使用することが可能とされている。
【０１４８】
このようにソース機器１１０側において、シンク機器１２０からクロック信号を送ってもらってそれを使用する状態とするか、あるいは、自身が持つクロック生成回路４３５で生成されたクロック信号を使用する状態とするかは、予め設定される。詳細については後述する。
【０１４９】
また、上述したように、ソース機器１１０はシンク機器１２０にクロック信号を、ＨＥＡＣ＋ラインおよびＨＥＡＣ−ラインからなる伝送路を介して、差動信号として送ることが可能とされている。一方、シンク機器１２０はソース機器１１０からＨＥＡＣ＋ラインおよびＨＥＡＣ−ラインからなる伝送路を介して、差動信号として送られてくるクロック信号を抽出して使用することが可能とされている。
【０１５０】
このようにシンク機器１２０側において、ソース機器１１０からクロック信号を送ってもらってそれを使用する状態とするか、あるいは、自身が持つクロック生成回路４５２で生成されたクロック信号を使用する状態とするかは、予め設定される。詳細については後述する。
【０１５１】
なお、クロック信号の送信は、ＨＥＡＣ＋ラインおよびＨＥＡＣ−ラインからなる伝送路を、差動信号として送信される。上述したように、ソース機器１１０とシンク機器１２０との間のＬＡＮ信号（イーサネット信号）も、ＨＥＡＣ＋ラインおよびＨＥＡＣ−ラインからなる伝送路を、差動信号として送信される。そのため、クロック信号の送信は、ソース機器１１０とシンク機器１２０との間でＬＡＮ信号（イーサネット信号）の通信が行われているときは行われない。これにより、ＬＡＮ信号（イーサネット信号）の通信にクロック信号が影響を及ぼさないようにされる。
【０１５２】
図１５は、上述の実施の形態におけるＵｔｉｌｉｔｙラインおよびＨＰＤラインを使用した動作をまとめて示している。１４番ピンはＵｔｉｌｉｔｙライン５０１に対応し、１９番ピンはＨＰＤライン５０２に対応する。イーサネット信号またはＳＰＤＩＦ信号の何れも伝送されない場合には、従来のＨＤＭＩ規格の動作になる。イーサネット信号が伝送される場合には、１４番ピンにイーサネット信号の正極信号が重畳され、１９番ピンにイーサネット信号の負極信号が重畳される。
【０１５３】
また、ＳＰＤＩＦ信号が伝送される場合には、１４番ピンおよび１９番ピンにＳＰＤＩＦ信号の正極信号が重畳される。なお、この場合、ＳＰＤＩＦ信号に同期したクロック信号ＣＬＫの伝送が可能である。クロック信号ＣＬＫが伝送される場合には、１４番ピンにクロック信号ＣＬＫの正極信号が重畳され、１９番ピンにクロック信号ＣＬＫの負極信号が重畳される。
【０１５４】
さらに、イーサネット信号およびＳＰＤＩＦ信号の両者が伝送される場合には、１４番ピンにイーサネット信号の正極信号およびＳＰＤＩＦ信号の正極信号が重畳され、１９番ピンにイーサネット信号の負極信号およびＳＰＤＩＦ信号の正極信号が重畳される。なお、この場合、イーサネット信号の伝送に影響を及ぼすことから、ＳＰＤＩＦ信号に同期したクロック信号ＣＬＫの伝送はできない。
【０１５５】
［機能情報の送受信］
上述のＡＶシステム１００においては、ソース機器１１０およびシンク機器１２０では、互いに相手側の機能情報を取得することが行われ、その機能情報に基づいてＬＡＮ信号（イーサネット信号）の伝送、ＳＰＤＩＦ信号の伝送等が選択的に行われる。
【０１５６】
ここで、ＣＥＣライン（ＣＥＣチャネル）を用いた機能情報の送受信について説明する。このＣＥＣラインでは、ソース機器とシンク機器の間で、双方向に、制御データの伝送が可能となっている。上述の機能情報は、例えば、ＣＥＣ（Consumer Electronics Control）データあるいはＣＤＣ（Capability
Discovery Channel）データとして、ソース機器からシンク機器に、あるいはシンク機器からソース機器に送られる。
【０１５７】
図１６は、ＣＥＣラインで伝送されるＣＥＣデータの構造を示している。ＣＥＣラインでは、１０ビットデータからなる１ブロックが、４．５ｍ秒で伝送される。先頭にスタートビットが配置され、それに続いて、ヘッダブロックが配置され、その後に、実際に伝送したいデータが含まれる任意の個数（ｎ個）のデータブロックが配置される。機能情報は、データブロックに含まれる。
【０１５８】
図１７は、ヘッダブロックの構造例を示した図である。ヘッダブロックには、送信元（Initiator）の論理アドレス（Logical Address）と、あて先（Destination）の論理アドレス（Logical Address）とが配置される。各論理アドレスは、各機器の種類に応じて設定される。
【０１５９】
図１８は、各機器の種類に応じて設定される論理アドレスを示している。図１８に示すように、機器の種類毎に、“０”から“１５”までの１６種類のアドレス値が設定されている。図１７のヘッダブロックを構成する送信元（Initiator）の論理アドレスおよびあて先（Destination）の論理アドレスには、対応するアドレス値が４ビットで配置される。
【０１６０】
次に、ＣＤＣデータについて説明する。ＣＤＣは、物理層はＣＥＣと同じであるが、論理層はＣＥＣとは異なるものとして定義される。ＣＤＣデータの構造は、図示しないが、図１６に示すＣＥＣのデータ構造と同様の構造とされ、先頭にスタートビットが配置され、それに続いて、ヘッダブロックが配置され、その後に、実際に伝送したいデータが含まれる任意の個数（ｎ個）のデータブロックが配置された構造とされる。
【０１６１】
また、ＣＤＣデータのヘッダブロックの構造は、図示しないが、図１７に示すＣＥＣデータのヘッダブロックと構造的には同一とされている。しかし、ヘッダブロックを構成する送信元（Initiator）の論理アドレスおよびあて先（Destination）の論理アドレスとして、機器の種類に依らずに、常に、“１５”が使用される。つまり、送信元（Initiator）に関しては不明（Unregistered）とされ、あて先（Destination）に関してはブロードキャスト（Broadcast）とされる。
【０１６２】
このようにＣＤＣデータの伝送にあっては、ヘッダブロックに配置される送信元およびあて先の論理アドレス（Logical Address）としていずれも“１５”が使用されるので、各機器の論理アドレスを取得する必要はない。ＣＤＣデータによるメッセージ（ＣＤＣメッセージ）は、ＣＥＣにとっては、送信元が不明なブロードキャストメッセージということになり、どの機器がどの機器に宛てたメッセージであるか分からない。
【０１６３】
そこで、ＣＤＣメッセージにあっては、物理的な接続パスを識別するために、データブロックに配置されるメッセージの中に、送信元（Initiator）およびあて先（Target）の物理アドレス（Physical Address）を必ず含むようにされる。つまり、ＣＤＣメッセージの送信にあっては、論理アドレスを使用せずに、物理アドレスを使用する。
【０１６４】
ＣＥＣは、ブロードキャストメッセージに関しては、〈Feature Abort〉「それは対応していない」というメッセージを返すことができない。そこで、ＣＤＣとしては、この状況を考えて、必ずメッセージを返すことにする。
【０１６５】
［クロック信号の送受信処理］
次に、図２のＡＶシステム１００におけるソース機器１１０が実行するクロック信号の送受信処理について説明する。図１９は、図２のＡＶシステム１００におけるソース機器１１０が実行するクロック信号の送受信処理のフローチャートである。
【０１６６】
図１９において、まず、ソース機器１１０のＨＤＭＩ送信部１１２は、シンク機器１２０のＨＤＭＩ受信部１２２にＣＥＣライン８４を介して、例えば〈Inquiry_Clock_Transfer_Capability〉コマンドを送信して、クロック信号の送受信機能ついての問い合わせを行う（ステップＳ１０２）。
【０１６７】
次いで、ソース機器１１０のＨＤＭＩ送信部１１２は、シンク機器１２０のＨＤＭＩ受信部１２２からＣＥＣライン８４を介して、例えば〈Master_Capability〉コマンドを受信したか否かを判別して、シンク機器１２０がクロック信号のマスター側となる旨を受信したか否かを判別する（ステップＳ１０４）。
【０１６８】
ステップＳ１０４の判別の結果、シンク機器１２０がクロック信号のマスター側となる旨を受信しないときは（ステップＳ１０４でＮＯ）、後述するステップＳ１１０の処理に進む。
【０１６９】
ステップＳ１０４の判別の結果、シンク機器１２０がクロック信号のマスター側となる旨を受信したときは（ステップＳ１０４でＹＥＳ）、ソース機器１１０の制御部（図示しない）は、ソース機器１１０がクロック信号の受信／同期が可能か否かを判別する（ステップＳ１０６）。
【０１７０】
ステップＳ１０６の判別の結果、ソース機器１１０がクロック信号の受信／同期が不可能であるときは（ステップＳ１０６でＮＯ）、ソース機器１１０のＨＤＭＩ送信部１１２は、シンク機器１２０のＨＤＭＩ受信部１２２にＣＥＣライン８４を介して、例えば〈Request_Clock_Master〉コマンドを送信して、ソース機器１１０がクロック信号のマスター側になる旨を要求する（ステップＳ１０８）。
【０１７１】
次いで、ソース機器１１０のＨＤＭＩ送信部１１２は、シンク機器１２０のＨＤＭＩ受信部１２２からＣＥＣライン８４を介して、例えば〈Feature_Abort〉コマンドを受信したか否かを判別して、クロック信号の送受信を中止する旨を受信したか否かを判別する（ステップＳ１１０）。
【０１７２】
ステップＳ１１０の判別の結果、クロック信号の送受信を中止する旨を受信したときは（ステップＳ１１０でＹＥＳ）、本処理を終了する。
【０１７３】
ステップＳ１１０の判別の結果、クロック信号の送受信を中止する旨を受信しないときは（ステップＳ１１０でＮＯ）、ソース機器１１０のＨＤＭＩ送信部１１２は、シンク機器１２０のＨＤＭＩ受信部１２２からＣＥＣライン８４を介して、例えば〈Report_Clock_Transfer_Capability〉コマンドを受信して、シンク機器１２０からクロック信号の送受信機能についての報告を受信する（ステップＳ１１２）。
【０１７４】
次いで、ソース機器１１０のＨＤＭＩ送信部１１２は、シンク機器１２０のＨＤＭＩ受信部１２２にＣＥＣライン８４を介して、例えば〈Initiate_Clock_Transfer〉コマンドを送信して、シンク機器１２０にクロック信号の送信を開始する旨を送信する（ステップＳ１１４）。
【０１７５】
次いで、ソース機器１１０のＨＤＭＩ送信部１１２は、シンク機器１２０のＨＤＭＩ受信部１２２からＣＥＣライン８４を介して、例えば〈Report_Initiate_Clock_Transfer〉コマンドを受信して、シンク機器１２０からクロック信号の送信を開始する旨に対する報告を受信する（ステップＳ１１６）。
【０１７６】
次いで、ソース機器１１０の制御部（図示しない）は、クロック信号の送信を開始する（ステップＳ１１８）。
【０１７７】
次いで、ソース機器１１０のＨＤＭＩ送信部１１２は、シンク機器１２０のＨＤＭＩ受信部１２２にＣＥＣライン８４を介して、例えば〈Terminate_Clock_Transfer〉コマンドを送信して、シンク機器１２０にクロック信号の送信を停止する旨を送信する（ステップＳ１２０）。
【０１７８】
次いで、ソース機器１１０のＨＤＭＩ送信部１１２は、シンク機器１２０のＨＤＭＩ受信部１２２からＣＥＣライン８４を介して、例えば〈Report_Terminate_Clock_Transfer〉コマンドを受信して、シンク機器１２０からクロック信号の送信を停止する旨に対する報告を受信する（ステップＳ１２２）。
【０１７９】
次いで、ソース機器１１０の制御部（図示しない）は、クロック信号の送信を停止して（ステップＳ１２４）、本処理を終了する。
【０１８０】
一方、ステップＳ１０６の判別の結果、ソース機器１１０がクロック信号の受信／同期が可能であるときは（ステップＳ１０６でＹＥＳ）、ソース機器１１０のＨＤＭＩ送信部１１２は、シンク機器１２０のＨＤＭＩ受信部１２２にＣＥＣライン８４を介して、例えば〈Report_Clock_Transfer_Capability〉コマンドを送信して、シンク機器１２０にクロック信号の送受信機能についての報告を送信する（ステップＳ１２６）。
【０１８１】
次いで、ソース機器１１０のＨＤＭＩ送信部１１２は、シンク機器１２０のＨＤＭＩ受信部１２２からＣＥＣライン８４を介して、例えば〈Initiate_Clock_Transfer〉コマンドを受信して、シンク機器１２０からクロック信号の送信を開始する旨を受信する（ステップＳ１２８）。
【０１８２】
次いで、ソース機器１１０のＨＤＭＩ送信部１１２は、シンク機器１２０のＨＤＭＩ受信部１２２にＣＥＣライン８４を介して、例えば〈Report_Initiate_Clock_Transfer〉コマンドを送信して、シンク機器１２０にクロック信号の送信を開始する旨に対する報告を送信する（ステップＳ１３０）。
【０１８３】
次いで、ソース機器１１０の制御部（図示しない）は、クロック信号の受信を開始する（ステップＳ１３２）。
【０１８４】
次いで、ソース機器１１０のＨＤＭＩ送信部１１２は、シンク機器１２０のＨＤＭＩ受信部１２２からＣＥＣライン８４を介して、例えば〈Terminate_Clock_Transfer〉コマンドを受信して、シンク機器１２０からクロック信号の送信を停止する旨を受信する（ステップＳ１３４）。
【０１８５】
次いで、ソース機器１１０のＨＤＭＩ送信部１１２は、シンク機器１２０のＨＤＭＩ受信部１２２にＣＥＣライン８４を介して、例えば〈Report_Terminate_Clock_Transfer〉コマンドを送信して、シンク機器１２０にクロック信号の送信を停止する旨に対する報告を送信する（ステップＳ１３６）。
【０１８６】
次いで、ソース機器１１０の制御部（図示しない）は、クロック信号の受信を停止して（ステップＳ１３８）、本処理を終了する。
【０１８７】
次に、図２のＡＶシステム１００におけるシンク機器１２０が実行するクロック信号の送受信処理について説明する。図２０は、図２のＡＶシステム１００におけるシンク機器１２０が実行するクロック信号の送受信処理のフローチャートである。
【０１８８】
図２０において、まず、シンク機器１２０のＨＤＭＩ受信部１２２は、ソース機器１１０のＨＤＭＩ送信部１１２からＣＥＣライン８４を介して、例えば〈Inquiry_Clock_Transfer_Capability〉コマンドを受信して、クロック信号の送受信機能ついての問い合わせを受信する（ステップＳ２０２）。
【０１８９】
次いで、シンク機器１２０の制御部（図示しない）は、シンク機器１２０がクロック信号の送信が可能か否かを判別する（ステップＳ２０４）。
【０１９０】
ステップＳ２０４の判別の結果、シンク機器１２０がクロック信号の送信が不可能であるときは（ステップＳ２０４でＮＯ）、後述するステップＳ２１０の処理に進む。
【０１９１】
ステップＳ２０４の判別の結果、シンク機器１２０がクロック信号の送信が可能であるときは（ステップＳ２０４でＹＥＳ）、シンク機器１２０のＨＤＭＩ受信部１２２は、ソース機器１１０のＨＤＭＩ送信部１１２にＣＥＣライン８４を介して、例えば〈Master_Capability〉コマンドを送信して、シンク機器１２０がクロック信号のマスター側になる旨を送信する（ステップＳ２０６）。
【０１９２】
次いで、シンク機器１２０のＨＤＭＩ受信部１２２は、ソース機器１１０のＨＤＭＩ送信部１１２からＣＥＣライン８４を介して、例えば〈Request_Clock_Master〉コマンドを受信したか否かを判別して、ソース機器１１０がクロック信号のマスター側となる旨を受信したか否かを判別する（ステップＳ２０８）。
【０１９３】
ステップＳ２０８の判別の結果、ソース機器１１０がクロック信号のマスター側となる旨を受信したときは（ステップＳ２０８でＹＥＳ）、シンク機器１２０の制御部（図示しない）は、シンク機器１２０がクロック信号の受信／同期が可能か否かを判別する（ステップＳ２１０）。
【０１９４】
ステップＳ２１０の判別の結果、シンク機器１２０がクロック信号の受信／同期が可能であるときは（ステップＳ２１０でＹＥＳ）、シンク機器１２０のＨＤＭＩ受信部１２２は、ソース機器１１０のＨＤＭＩ送信部１１２にＣＥＣライン８４を介して、例えば〈Report_Clock_Transfer_Capability〉コマンドを送信して、ソース機器１１０にクロック信号の送受信機能についての報告を送信する（ステップＳ２１２）。
【０１９５】
次いで、シンク機器１２０のＨＤＭＩ受信部１２２は、ソース機器１１０のＨＤＭＩ送信部１１２からＣＥＣライン８４を介して、例えば〈Initiate_Clock_Transfer〉コマンドを受信して、ソース機器１１０からクロック信号の送信を開始する旨を受信する（ステップＳ２１４）。
【０１９６】
次いで、シンク機器１２０のＨＤＭＩ受信部１２２は、ソース機器１１０のＨＤＭＩ送信部１１２にＣＥＣライン８４を介して、例えば〈Report_Initiate_Clock_Transfer〉コマンドを送信して、ソース機器１１０にクロック信号の送信を開始する旨に対する報告を送信する（ステップＳ２１６）。
【０１９７】
次いで、シンク機器１２０の制御部（図示しない）は、クロック信号の受信を開始する（ステップＳ２１８）。
【０１９８】
次いで、シンク機器１２０のＨＤＭＩ受信部１２２は、ソース機器１１０のＨＤＭＩ送信部１１２からＣＥＣライン８４を介して、例えば〈Terminate_Clock_Transfer〉コマンドを受信して、ソース機器１１０からクロック信号の送信を停止する旨を受信する（ステップＳ２２０）。
【０１９９】
次いで、シンク機器１２０のＨＤＭＩ受信部１２２は、ソース機器１１０のＨＤＭＩ送信部１１２にＣＥＣライン８４を介して、例えば〈Report_Terminate_Clock_Transfer〉コマンドを送信して、ソース機器１１０にクロック信号の送信を停止する旨に対する報告を送信する（ステップＳ２２２）。
【０２００】
次いで、シンク機器１２０の制御部（図示しない）は、クロック信号の受信を停止して（ステップＳ２２４）、本処理を終了する。
【０２０１】
一方、ステップＳ２０８の判別の結果、ソース機器１１０がクロック信号のマスター側となる旨を受信しないときは（ステップＳ２０８でＮＯ）、シンク機器１２０のＨＤＭＩ受信部１２２は、ソース機器１１０のＨＤＭＩ送信部１１２からＣＥＣライン８４を介して、例えば〈Report_Clock_Transfer_Capability〉コマンドを受信して、ソース機器１１０からクロック信号の送受信機能についての報告を受信する（ステップＳ２２６）。
【０２０２】
次いで、シンク機器１２０のＨＤＭＩ受信部１２２は、ソース機器１１０のＨＤＭＩ送信部１１２にＣＥＣライン８４を介して、例えば〈Initiate_Clock_Transfer〉コマンドを送信して、ソース機器１１０にクロック信号の送信を開始する旨を送信する（ステップＳ２２８）。
【０２０３】
次いで、シンク機器１２０のＨＤＭＩ受信部１２２は、ソース機器１１０のＨＤＭＩ送信部１１２からＣＥＣライン８４を介して、例えば〈Report_Initiate_Clock_Transfer〉コマンドを受信して、ソース機器１１０からクロック信号の送信を開始する旨に対する報告を受信する（ステップＳ２３０）。
【０２０４】
次いで、シンク機器１２０の制御部（図示しない）は、クロック信号の送信を開始する（ステップＳ２３２）。
【０２０５】
次いで、シンク機器１２０のＨＤＭＩ受信部１２２は、ソース機器１１０のＨＤＭＩ送信部１１２にＣＥＣライン８４を介して、例えば〈Terminate_Clock_Transfer〉コマンドを送信して、ソース機器１１０にクロック信号の送信を停止する旨を送信する（ステップＳ２３４）。
【０２０６】
次いで、シンク機器１２０のＨＤＭＩ受信部１２２は、ソース機器１１０のＨＤＭＩ送信部１１２からＣＥＣライン８４を介して、例えば〈Report_Terminate_Clock_Transfer〉コマンドを受信して、ソース機器１１０からクロック信号の送信を停止する旨に対する報告を受信する（ステップＳ２３６）。
【０２０７】
次いで、シンク機器１２０の制御部（図示しない）は、クロック信号の送信を停止して（ステップＳ２３８）、本処理を終了する。
【０２０８】
一方、ステップＳ２１０の判別の結果、シンク機器１２０がクロック信号の受信／同期が不可能であるときは（ステップＳ２１０でＮＯ）、シンク機器１２０のＨＤＭＩ受信部１２２は、ソース機器１１０のＨＤＭＩ送信部１１２にＣＥＣライン８４を介して、例えば〈Feature_Abort〉コマンドを送信して、クロック信号の送受信を中止する旨を送信して（ステップＳ２４０）、本処理を終了する。
【０２０９】
以上説明したように、図１、図２（図１３、図１４）に示すＡＶシステムにおいては、シンク機器１２０は、デコード部１６２による放送波コンテンツのストリームの復号の際に使用するクロック信号をＨＤＭＩケーブル１３０を介してソース機器１１０に対して送受信可能であり、ソース機器１１０は、デコード部１６２による放送波コンテンツのストリームの復号の際に使用するクロック信号をＨＤＭＩケーブル１３０を介してシンク機器１２０に対して送受信可能である。オーディオ機器等のソース機器１１０は、通常、非常に高品質なクロック信号を生成可能なクロック生成回路４３５を搭載している。そして、ソース機器１１０側で自身が搭載しているクロック生成回路４３５により、上述したストリームのデコード用のクロック信号、通常は２７ＭＨｚのクロック信号を生成する。当該クロック生成回路により生成されたクロック信号は、ソース機器１１０が音声信号を再生する際に使用するクロック信号、通常は４８ｋＨｚのクロック信号とソースとなるクロック信号が同じであるため、これらのクロック信号は完全に同期しており、ジッタ成分などが低減されて高品質を保持している。ソース機器１１０側がシンク機器１２０側に上述したストリームのデコード用のクロック信号を送信する。そして、シンク機器１２０は、受信したクロック信号を基準クロック信号として、バッファ部１６１に保存されているストリームのデコードを行い、デコードされたストリームのうち音声データをソース機器１１０側に送信する。ソース機器１１０は、受信した音声データは自身が搭載しているクロック生成回路により生成されたクロック信号と同期しているため、自身の音声データ再生用のクロック信号を基準クロック信号として音声データを再生することにより、音声データの再生品質を向上させることができる。
【０２１０】
また、図１９および図２０のクロック信号の送受信処理によれば、オーディオ機器等のソース機器１１０が備えるクロック信号生成回路４３５により生成されたクロック信号よりも精度の高いクロック信号を生成可能なクロック信号生成回路をＴＶ機器等のシンク機器１２０が備える場合には、シンク機器１２０が備えるクロック信号生成回路により生成されたクロック信号をソース機器１１０に送信することができる。したがって、より品質の高いクロック信号に基づいて、音声データの再生を行うことができる。
【０２１１】
なお、本実施の形態では、クロック信号をＵｔｉｌｉｔｙライン５０１およびＨＰＤライン５０２を用いて、差動信号として伝送しているが、ＳＰＤＩＦ信号をＵｔｉｌｉｔｙライン５０１の一方のラインを用いて伝送している場合には、クロック信号を他のラインを用いて伝送してもよい。
【０２１２】
［著作権保護］
なお、図２に示すＡＶシステム１００において、シンク機器１２０からソース機器１１０に送信されるＳＰＤＩＦ信号や、ソース機器１１０からシンク機器１２０に送信されるＳＰＤＩＦ信号に対し、暗号化を施して著作権保護を行うことが考えられる。例えば、ＤＴＣＰ（Digital Transmission Content
Protection）等で著作権保護を行うことができる。この場合、上述したＣＤＣ機能を使って、ソース機器１１０とシンク機器１２０との間で、認証、鍵交換を行ってもよい。以下、シンク機器１２０からソース機器１１０に送信されるＳＰＤＩＦ信号に対し、暗号化を施して著作権保護を行う場合について説明する。
【０２１３】
図２１は、認証、鍵交換処理のシーケンス例を示している。なお、この図２１におけるシンク機器は図１のＡＶシステム１００においてはＨＤＭＩのソース機器１１０に相当する。また、この図２１におけるソース機器は図１のＡＶシステム１００においてはＨＤＭＩのシンク機器１２０に相当する。
【０２１４】
この認証、鍵交換処理は、ＤＴＣＰ規格では、ＡＫＥ（Authentication and Key
Exchange）処理と呼ばれている。この場合、デジタルデータのやりとりに先立って、シンク機器がコピー制御情報を適切に扱うことのできる機器であることの認証を行った上で暗号化および復号化のための鍵を交換する。そして、ソース機器でデジタルデータを暗号化して、暗号化されたデジタルデータをシンク機器で復号する。これにより、シンク機器におけるデジタルコンテンツの保護が保証されるとともに、それ以外の機器によるデジタルコンテンツの盗用が防止される。
【０２１５】
認証処理を行う際には、処理が重複しないように、シンク機器から処理を開始することになっている。まず、シンク機器は、ＡＫＥステータスコマンド１００１によりソース機器の状態を調べる。その結果、ソース機器からＡＫＥステータスレスポンス２００１として受け入れ可能である旨の応答が得られれば、シンク機器は乱数および証明書を添付してＣＨＡＬＬＥＮＧＥサブファンクション１００２を発行する。この証明書はＤＴＣＰの管理機構であるデジタル・トランスミッション・ライセンシング・アドミニストレータ（ＤＴＬＡ）から各機器に対して発行されたものである。ソース機器はシンク機器からの証明書を認証してその結果をレスポンス２００２としてシンク機器に返す。そして、ソース機器は、同様の手順をソース機器側から行う（２００３、１００３、２００４、１００４）。
【０２１６】
続いて、ソース機器は、シンク機器から受け取った乱数に基づいて所定の数値を計算して、ＲＥＳＰＯＮＳＥサブファンクション２００５によりシンク機器に送信する。同様に、シンク機器は、ソース機器から受け取った乱数に基づいて所定の数値を計算して、ＲＥＳＰＯＮＳＥサブファンクション１００６によりソース機器に送信する。なお、これらＲＥＳＰＯＮＳＥサブファンクション２００５または１００６を受信した機器は、それぞれ認証処理を行う。
【０２１７】
そして、ソース機器は、エクスチェンジ鍵をＥＸＣＨＡＮＧＥ＿ＫＥＹサブファンクション２００７により送信する。コンテンツ鍵を計算するためのシードをシンク機器がＣＯＮＴＥＮＴ＿ＫＥＹ＿ＲＥＱサブファンクション２０１０により要求すると、ソース機器はシードをレスポンス１０１０により送信する。これにより、シンク機器はエクスチェンジ鍵およびシードからコンテンツ鍵を計算する。コンテンツのコピー制御情報としては、コピーネバー、コピーワンジェネレーション、ノーモアコピー、コピーフリーの４種類があり、暗号化されているのは前３者である。コンテンツ鍵はその３者に対応して３種類設けられる。
【０２１８】
また、ＳＲＭサブファンクション１００８および２００８では、ＳＲＭ（System Renewability Message）の交換が行われる。このＳＲＭは、正当な機器に対して更新されたメッセージを送信することにより、そのような正当な機器以外を認証できないようにするためのものである。このＳＲＭサブファンクションを受信した機器は、認証処理を行って、送信されてきたＳＲＭが間違っていないかどうかを確認する。
【０２１９】
なお、図２１に示す認証、鍵交換処理のシーケンス例は、全認証（Full Authentication）と呼ばれる手順で、全３種類の鍵を交換するものである。これに対して、より簡易な限定認証（Restricted Authentication）と呼ばれる手順では一種類の鍵のみを交換する。この限定認証の場合、全認証のほぼ半分程度の時間で認証処理を行うことができる。また、図２１に示す認証、鍵交換処理のシーケンス例は、ＤＴＣＰにより著作権保護を行う場合の例であるが、ＤＴＣＰ以外の他の著作権保護技術を適用してもよい。例えば、ＳＰＤＩＦ信号を暗号化する際にＨＤＣＰ（High-bandwidth Digital Content
Protection system）を採用する際は、ＨＤＭＩのＤＤＣライン等で認証、生成されたコンテンツ鍵を用いて、暗号化することもできる。
【０２２０】
＜２．第２の実施の形態＞
［ＡＶシステムの構成例］
次に、本発明の第２の実施の形態に係るＡＶシステムについて説明する。図２２は、本発明の第２の実施の形態に係るＡＶシステムの構成を概略的に示す図である。図２３は、図２２のＡＶシステムの構成を概略的に示すブロック図である。
【０２２１】
図２２および図２３において、ＡＶシステム２００は、放送波コンテンツを再生可能なシステムであり、セットトップボックス（ＳＴＢ）等のソース機器２１０と、オーディオ機器等のリピータ機器２２０と、ＴＶ装置等のシンク機器２７０とを有している。このＡＶシステム２００において、ソース機器２１０、リピータ機器２２０およびシンク機器２７０はＨＤＭＩ  ＨＥＡＣ対応機器である。ここで、ＨＤＭＩ  ＨＥＡＣ対応機器であるとは、ＨＤＭＩケーブルを構成するＨＥＡＣ＋ラインおよびＨＥＡＣ−ラインによる通信路を用いた通信を行う通信部を有していることを意味する。
【０２２２】
ソース機器２１０およびリピータ機器２２０は、ＨＤＭＩケーブル２３０を介して接続されている。すなわち、ソース機器２１０はＨＤＭＩ端子２１１を備えており、リピータ機器２２０はＨＤＭＩ端子２２１を備えている。ＨＤＭＩケーブル２３０の一端はソース機器２１０のＨＤＭＩ端子２１１に接続され、このＨＤＭＩケーブル２３０の他端はリピータ機器２２０のＨＤＭＩ端子２２１に接続されている。また、ソース機器２１０は、放送波コンテンツを受信するためのアンテナ２４０を備えている。また、リピータ機器２２０およびシンク機器２７０は、ＨＤＭＩケーブル２８０を介して接続されている。
【０２２３】
ソース機器２１０は、ＨＤＭＩ端子２１１に接続された、ＨＤＭＩ送信部２１２、ソース側送受信回路２１３およびプラグ接続検出回路２１７を有している。ソース側送受信回路２１３には、イーサネット送受回路２１４が接続されている。
【０２２４】
ＨＤＭＩ送信部２１２は、ＨＤＭＩに準拠した通信により、ベースバンドの映像（画像）と音声のデータを、ＨＤＭＩ端子２１１から送出する。
【０２２５】
ソース側送受信回路２１３は、ＨＤＭＩケーブル２３０を構成するＨＥＡＣ＋ラインおよびＨＥＡＣ−ラインを用いて伝送されるイーサネット信号をイーサネット送受信回路２１４とＨＤＭＩケーブル２３０との間でインタフェースする。
【０２２６】
イーサネット送受信回路２１４は、イーサネット信号を送受信するための回路であり、例えばインターネットプロトコル（ＩＰ）に準拠した双方向通信を行うものである。この場合、インターネットプロトコル（ＩＰ）の上位層としては、ＴＣＰ（Transmission Control Protocol）やＵＤＰ（User
Datagram Protocol）を用いることができる。
【０２２７】
プラグ接続検出回路２１７は、ＨＤＭＩケーブル２３０のＨＰＤラインに接続する端子の電位を基準電位と比較することにより、シンク機器２２０の接続を検出する。
【０２２８】
また、ソース機器２１０は、チューナ部２５０、バッファ部２５１およびデコード部２５２を有している。チューナ部２５０は、ソース機器２１０のアンテナ２４０を介して放送波コンテンツを受信して、受信した放送波コンテンツの復調を行う。バッファ部２５１は、チューナ部２５０にて復調されたＭＰＥＧ−ＴＳなどのストリームを一時的に保存する。
【０２２９】
デコード部２５２は、バッファ部２５１に保存されているストリームを読み出して、読み出したストリームのデコードを行う。また、デコード部２５２は、当該ストリームのデコードの際に、シンク機器２２０から送信されてくるクロック信号、あるいはソース機器２１０で生成されたクロック信号のいずれかのクロック信号に基づいて、デコードを行う。そして、デコード部２５２は、デコードされたストリームにおける音声データおよび映像データをＨＤＭＩ送信部２１２に入力して、リピータ機器２２０側に送信する。
【０２３０】
リピータ機器２２０は、ＨＤＭＩ端子２２１に接続された、ＨＤＭＩ受信部２２２、シンク側送受信回路２２３およびプラグ接続伝達回路２２７を有している。シンク側送受信回路２２３には、イーサネット送受信回路２２４が接続されている。
【０２３１】
ＨＤＭＩ受信部２２２は、ＨＤＭＩに準拠した通信により、ソース機器から一方向に送信されてくるベースバンドの映像と音声のデータを、ＨＤＭＩ端子２２１を介して受信する。ＨＤＭＩ受信部２２２は、受信したデータのうち、音声データをＤ／Ａ変換部２６０に入力する。また、ＨＤＭＩ受信部２２２は、受信したデータのうち、映像データをＨＤＭＩ送信部２６２に入力し、ＨＤＭＩ送信部２６２は、映像データをＨＤＭＩケーブル２８０を介してシンク機器２７０のＨＤＭＩ受信部２７２へ入力する。シンク機器２７０のＨＤＭＩ受信部２７２は受信したデータを画像表示部２７１に入力する。画像表示部２７１は、入力された映像データの表示を行う。
【０２３２】
シンク側送受信回路２２３は、ＨＤＭＩケーブル２３０を構成するＨＥＡＣ＋ラインおよびＨＥＡＣ−ラインを用いて伝送されるイーサネット信号を、イーサネット送受信回路２２４とＨＤＭＩケーブル２３０との間でインタフェースする。
【０２３３】
イーサネット送受信回路２２４は、ソース機器２１０のイーサネット送受信回路２１４と同様に、イーサネット信号を送受信するための回路であり、例えばインターネットプロトコル（ＩＰ）に準拠した双方向通信を行うものである。
【０２３４】
プラグ接続伝達回路２２７は、ＨＤＭＩケーブル２３０のＨＰＤラインに接続する端子を所定の電圧にバイアスすることにより、ソース機器２１０にシンク機器が接続されている旨を伝達する。
【０２３５】
また、リピータ機器２２０は、Ｄ／Ａ変換部２６０および音声出力部２６１を有している。Ｄ／Ａ変換部２６０は、ソース機器２１０側から送信されてＨＤＭＩ受信部２２２から入力されたデジタル音声データをＤ／Ａ変換して、アナログ音声データを生成する。また、Ｄ／Ａ変換部２６０は、デジタル音声データのＤ／Ａ変換の際に、ソース機器２１０から送信されてくるクロック信号、あるいはシンク機器２２０で生成されたクロック信号のいずれかのクロック信号に基づいて、Ｄ／Ａ変換を行う。そして、Ｄ／Ａ変換部２６０は、生成したアナログ音声データを音声出力部２６１に入力する。音声出力部２６１は、入力された音声データの再生を行う。
【０２３６】
本実施の形態では、オーディオ機器等のリピータ機器２２０は、通常、非常に高品質なクロック信号を生成可能なクロック生成回路を搭載しているため、リピータ機器２２０側で自身が搭載しているクロック生成回路により、上述したストリームのデコード用のクロック信号、通常は２７ＭＨｚのクロック信号を生成する。当該クロック生成回路により生成されたクロック信号は、リピータ機器２２０が音声信号を再生する際に使用するクロック信号、通常は４８ｋＨｚのクロック信号とソースとなるクロック信号が同じであるため、これらのクロック信号は完全に同期しており、ジッタ成分などが低減されて高品質を保持している。
【０２３７】
本実施の形態では、リピータ機器２２０側がソース機器２１０側に上述したストリームのデコード用のクロック信号を送信する。そして、ソース機器２１０は、受信したクロック信号を基準クロック信号として、バッファ部２５１に保存されているストリームのデコードを行い、デコードされたストリーム、すなわち音声データおよび映像データをリピータ機器２２０側に送信する。リピータ機器２２０は、受信した音声データは自身が搭載しているクロック生成回路により生成されたクロック信号と同期しているため、自身の音声データ再生用のクロック信号を基準クロック信号として音声データを再生することにより、音声データの再生品質を向上させることができる。
【０２３８】
また、本実施の形態では、デコード部２５２は、上述したストリームのデコードの結果に基づいて、バッファ部２５１の記憶内容をリセットあるいは例えば直前の画像および音声データと同一の画像および音声データを挿入する。例えば、デコード部２５２は、上述したストリームのデコードの結果、放送波コンテンツにおいて、無音かつ映像がブラックアウトしている区間を検知した場合は、バッファ部２５１に記憶されているストリームをリセットあるいは無音かつブラックアウト映像データを挿入する。これにより、バッファ部２５１のバッファ量を制御することができる。
【０２３９】
［ソース側送受信回路、シンク側送受信回路等の構成例］
図２４は、ＡＶシステム２００におけるソース機器２１０のソース側送受信回路２１３、プラグ接続検出回路２１７等の構成例を示している。この図２４において、図１３と対応する部分には同一符号を付してその詳細説明は省略する。
【０２４０】
この図２４において、図１３と異なるのは、切換スイッチ４７５の可動端子に得られるクロック信号がデコード部２５２の動作クロックとして供給される点と、デコード部２５２から音声データがＳＰＤＩＦ送受信回路２１５に入力されない点である。
【０２４１】
図２５は、ＡＶシステム２００におけるリピータ機器２２０のシンク側送受信回路２２３、プラグ接続伝達回路２２７等の構成例を示している。この図２５において、図１４と対応する部分には同一符号を付してその詳細説明は省略する。
【０２４２】
この図２５において、図１４と異なるのは、切換スイッチ４８４の可動端子に得られるクロック信号がＤ／Ａ変換部２６０の動作クロックとして供給される点と、音声データがＳＰＤＩＦ送受信回路２２５からＤ／Ａ変換部２６０に入力されない点である。
【０２４３】
以上説明したように、図２２、図２３（図２４、図２５）に示すＡＶシステムにおいては、ソース機器２１０は、デコード部２５２による放送波コンテンツのストリームの復号の際に使用するクロック信号をＨＤＭＩケーブル２３０を介してリピータ機器２２０に対して送受信可能であり、リピータ機器２２０は、デコード部２５２による放送波コンテンツのストリームの復号の際に使用するクロック信号をＨＤＭＩケーブル２３０を介してソース機器２１０に対して送受信可能である。オーディオ機器等のリピータ機器２２０は、通常、非常に高品質なクロック信号を生成可能なクロック生成回路４５２を搭載している。そして、リピータ機器２２０側で自身が搭載しているクロック生成回路４５２により、上述したストリームのデコード用のクロック信号、通常は２７ＭＨｚのクロック信号を生成する。当該クロック生成回路により生成されたクロック信号は、リピータ機器２２０が音声信号を再生する際に使用するクロック信号、通常は４８ｋＨｚのクロック信号とソースとなるクロック信号が同じであるため、これらのクロック信号は完全に同期しており、ジッタ成分などが低減されて高品質を保持している。リピータ機器２２０側がソース機器２１０側に上述したストリームのデコード用のクロック信号を送信する。そして、ソース機器２１０は、受信したクロック信号を基準クロック信号として、バッファ部２５１に保存されているストリームのデコードを行い、デコードされたストリームのうち音声データをリピータ機器２２０側に送信する。リピータ機器２２０は、受信した音声データは自身が搭載しているクロック生成回路により生成されたクロック信号と同期しているため、自身の音声データ再生用のクロック信号を基準クロック信号として音声データを再生することにより、音声データの再生品質を向上させることができる。
【０２４４】
なお、本実施の形態では、クロック信号をＵｔｉｌｉｔｙライン５０１およびＨＰＤライン５０２を用いて、差動信号として伝送しているが、クロック信号をＵｔｉｌｉｔｙライン５０１およびＨＰＤライン５０２のいずれか一方のラインを用いて伝送してもよく、両方のラインを用いて、同相信号として伝送してもよい。
【０２４５】
なお、上述した各実施の形態においては、各機器を接続する伝送路として、ＨＤＭＩ規格のインタフェースを前提として説明したが、その他の同様な伝送規格にも適用できることは勿論である。
【０２４６】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０２４７】
この場合、記憶媒体から読み出されたプログラムコード自体が前述した各実施の形態の機能を実現することになり、そのプログラムコード及び該プログラムコードを記憶した記憶媒体は本発明を構成することになる。
【０２４８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０２４９】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０２５０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【０２５１】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０２５２】
１００    ＡＶシステム
１１０    ソース機器
１１１    ＨＤＭＩ端子
１１２    ＨＤＭＩ送信部
１１３    ソース側送受信回路
１１４    イーサネット送受信回路
１１５    ＳＰＤＩＦ受信回路
１１６    シンク機種検出回路
１１７    プラグ接続検出回路
１２０    シンク機器
１２１    ＨＤＭＩ端子
１２２    ＨＤＭＩ受信部
１２３    シンク側送受信回路
１２４    イーサネット送受信回路
１２５    ＳＰＤＩＦ送信回路
１２６    ソース機種検出回路
１２７    プラグ接続伝達回路
１３０    ＨＤＭＩケーブル
１４０    アンテナ
１５０    Ｄ／Ａ変換部
１５１    音声出力部
１６０    チューナ部
１６１    バッファ部
１６２    デコード部
１６３    画像表示部
【図１】
2011172156.tif 000003
【図２】
2011172156.tif 000004
【図３】
2011172156.tif 000005
【図４】
2011172156.tif 000006
【図５】
2011172156.tif 000007
【図６】
2011172156.tif 000008
【図７】
2011172156.tif 000009
【図８】
2011172156.tif 000010
【図９】
2011172156.tif 000011
【図１０】
2011172156.tif 000012
【図１１】
2011172156.tif 000013
【図１２】
2011172156.tif 000014
【図１３】
2011172156.tif 000015
【図１４】
2011172156.tif 000016
【図１５】
2011172156.tif 000017
【図１６】
2011172156.tif 000018
【図１７】
2011172156.tif 000019
【図１８】
2011172156.tif 000020
【図１９】
2011172156.tif 000021
【図２０】
2011172156.tif 000022
【図２１】
2011172156.tif 000023
【図２２】
2011172156.tif 000024
【図２３】
2011172156.tif 000025
【図２４】
2011172156.tif 000026
【図２５】
2011172156.tif 000027